(57)【要約】【課題】コンテンツの不正再生を防ぎつつ、容易に、コンテンツを再生可能なコンテンツ再生システム、再生装置、端末装置、サーバおよびコンテンツ再生方法を提供する。【解決手段】端末装置は、端末装置の位置を示す端末位置情報を取得し、端末位置情報が示す端末装置の位置が、予め登録された位置から所定範囲内にある場合、再生対象コンテンツを再生するための再生情報を生成し、再生情報を、再生装置へ送信する。再生装置は、受信した再生情報に基づいて、再生対象コンテンツを再生する。【選択図】図３２
2008288893.tif 000002
【特許請求の範囲】
【請求項１】
再生対象の再生対象コンテンツを記憶する再生装置と、端末装置とを含むコンテンツ再生システムであって、
前記端末装置は、
前記端末装置の位置を示す端末位置情報を取得する位置情報取得手段と、
前記端末位置情報が示す前記端末装置の位置が、予め登録された位置から所定範囲内にある場合、前記再生対象コンテンツを再生するための再生情報を生成する生成手段と、
前記再生情報を、前記再生装置へ送信する送信手段とを備え、
前記再生装置は、
前記再生情報を受信する受信手段と、
受信した前記再生情報に基づいて、前記再生対象コンテンツを再生する再生手段とを備える、コンテンツ再生システム。
【請求項２】
前記予め登録された位置は、前記再生装置の位置である、請求項１に記載のコンテンツ再生システム。
【請求項３】
前記コンテンツ再生システムは、さらに、サーバを含み、
前記サーバは、
日時を補正するための日時情報を、前記端末装置へ送信する日時情報送信手段を備え、
前記端末装置は、さらに、
前記再生対象コンテンツの再生が許可される再生許可日時を示す許可日時情報を記憶する記憶手段と、
前記日時情報を受信する受信手段と、
前記日時情報により示される日時が、前記許可日時情報により示される前記再生許可日時以降であるか否かを判定する判定手段とを備え、
前記生成手段は、前記日時情報により示される日時が、前記許可日時情報により示される前記再生許可日時以降であると前記判定手段により判定された場合、前記再生情報を生成する、請求項１に記載のコンテンツ再生システム。
【請求項４】
前記コンテンツ再生システムは、さらに、コンテンツ配信装置を含み、
前記再生装置に記憶される前記再生対象コンテンツは、前記コンテンツ配信装置が、前記再生装置へ送信したコンテンツであり、
前記端末装置の前記記憶手段に記憶される前記許可日時情報は、前記コンテンツ配信装置が、前記端末装置へ送信した情報である、請求項３に記載のコンテンツ再生システム。
【請求項５】
前記日時を補正するための日時情報は、ネットワーク・タイム・プロトコルに基づく情報である、請求項３に記載のコンテンツ再生システム。
【請求項６】
請求項１に記載のコンテンツ再生システムに含まれる再生装置であって、
前記予め登録された位置は、前記再生装置の位置である、再生装置。
【請求項７】
請求項１に記載のコンテンツ再生システムに含まれる再生装置であって、
前記再生装置に記憶される前記再生対象コンテンツは、前記コンテンツ再生システムに含まれるコンテンツ配信装置が、前記再生装置へ送信したコンテンツである、再生装置。
【請求項８】
請求項１に記載のコンテンツ再生システムに含まれる端末装置であって、
前記端末装置は、さらに、
前記再生対象コンテンツの再生が許可される再生許可日時を示す許可日時情報を記憶する記憶手段と、
前記コンテンツ再生システムに含まれるサーバから送信された、日時を補正するための日時情報を受信する受信手段と、
前記日時情報により示される日時が、前記許可日時情報により示される前記再生許可日時以降であるか否かを判定する判定手段とを備え、
前記生成手段は、前記日時情報により示される日時が、前記許可日時情報により示される前記再生許可日時以降であると前記判定手段により判定された場合、前記再生情報を生成する、端末装置。
【請求項９】
前記端末装置の前記記憶手段に記憶される前記許可日時情報は、前記コンテンツ再生システムに含まれる前記コンテンツ配信装置が、前記端末装置へ送信した情報である、請求項８に記載の端末装置。
【請求項１０】
請求項１に記載のコンテンツ再生システムに含まれるサーバであって、
日時を補正するための日時情報を、前記端末装置へ送信する日時情報送信手段を備える、サーバ。
【請求項１１】
前記日時を補正するための日時情報は、ネットワーク・タイム・プロトコルに基づく情報である、請求項１０に記載のサーバ。
【請求項１２】
再生対象の再生対象コンテンツを記憶する再生装置と、端末装置とを含むコンテンツ再生システムにより実行されるコンテンツ再生方法であって、
前記端末装置の位置を示す端末位置情報を取得するステップと、
前記端末位置情報が示す前記端末装置の位置が、予め登録された位置から所定範囲内にある場合、前記再生対象コンテンツを再生するための再生情報を生成するステップと、
前記再生情報を、前記再生装置へ送信するステップと、
前記再生装置により受信された前記再生情報に基づいて、前記再生対象コンテンツを再生するステップとを備える、コンテンツ再生方法。
【発明の詳細な説明】
【技術分野】
【０００１】
本発明は、コンテンツ再生システム、再生装置、端末装置、サーバおよびコンテンツ再生方法に関し、特に、コンテンツの再生を行なうための処理を行なうコンテンツ再生システム、再生装置、端末装置、サーバおよびコンテンツ再生方法に関する。
【背景技術】
【０００２】
近年のインターネットのブロードバンド化に伴い、映像コンテンツを、インターネットから受信して、視聴するといった用途が増えつつある。インターネットから受信した映像コンテンツは、有料である場合も多い。以下においては、有料の映像コンテンツを、有料コンテンツともいう。一般的に、有料コンテンツには、不正使用を防止するための仕組みが設けられている。ここで、不正使用は、たとえば、有料コンテンツを受信した装置とは別の装置に有料コンテンツをコピーして再生させるといった使用である。
【０００３】
特開２００４−２９７５５０号公報（特許文献１）には、コンテンツの不正使用を防止するための技術（以下、第１の先行技術ともいう）が開示されている。
【特許文献１】特開２００４−２９７５５０号公報
【発明の開示】
【発明が解決しようとする課題】
【０００４】
しかしながら、第１の先行技術では、コンテンツを再生させるまでに、多くの手間をユーザにかけてしまうという問題点がある。ここで、多くの手間とは、日時条件付きコンテンツを再生するのに必要な利用チケットを購入するためのＵＲＬに接続し、所定情報を入力するといった手間等である。
【０００５】
本発明は、上述の問題点を解決するためになされたものであって、その目的は、コンテンツの不正再生を防ぎつつ、容易に、コンテンツを再生可能なコンテンツ再生システム、再生装置、端末装置、サーバおよびコンテンツ再生方法を提供することである。
【課題を解決するための手段】
【０００６】
上述の課題を解決するために、この発明のある局面に従うと、再生対象の再生対象コンテンツを記憶する再生装置と、端末装置とを含むコンテンツ再生システムであって、端末装置は、端末装置の位置を示す端末位置情報を取得する位置情報取得手段と、端末位置情報が示す端末装置の位置が、予め登録された位置から所定範囲内にある場合、再生対象コンテンツを再生するための再生情報を生成する生成手段と、再生情報を、再生装置へ送信する送信手段とを備え、再生装置は、再生情報を受信する受信手段と、受信した再生情報に基づいて、再生対象コンテンツを再生する再生手段とを備える。
【０００７】
好ましくは、予め登録された位置は、再生装置の位置である。
好ましくは、コンテンツ再生システムは、さらに、サーバを含み、サーバは、日時を補正するための日時情報を、端末装置へ送信する日時情報送信手段を備え、端末装置は、さらに、再生対象コンテンツの再生が許可される再生許可日時を示す許可日時情報を記憶する記憶手段と、日時情報を受信する受信手段と、日時情報により示される日時が、許可日時情報により示される再生許可日時以降であるか否かを判定する判定手段とを備え、生成手段は、日時情報により示される日時が、許可日時情報により示される再生許可日時以降であると判定手段により判定された場合、再生情報を生成する。
【０００８】
好ましくは、コンテンツ再生システムは、さらに、コンテンツ配信装置を含み、再生装置に記憶される再生対象コンテンツは、コンテンツ配信装置が、再生装置へ送信したコンテンツであり、端末装置の記憶手段に記憶される許可日時情報は、コンテンツ配信装置が、端末装置へ送信した情報である。
【０００９】
好ましくは、日時を補正するための日時情報は、ネットワーク・タイム・プロトコルに基づく情報である。
【００１０】
この発明の他の局面に従うと、コンテンツ再生システムに含まれる再生装置であって、予め登録された位置は、再生装置の位置である。
【００１１】
この発明のさらに他の局面に従うと、コンテンツ再生システムに含まれる再生装置であって、再生装置に記憶される再生対象コンテンツは、コンテンツ再生システムに含まれるコンテンツ配信装置が、再生装置へ送信したコンテンツである。
【００１２】
この発明のさらに他の局面に従うと、コンテンツ再生システムに含まれる端末装置であって、端末装置は、さらに、再生対象コンテンツの再生が許可される再生許可日時を示す許可日時情報を記憶する記憶手段と、コンテンツ再生システムに含まれるサーバから送信された、日時を補正するための日時情報を受信する受信手段と、日時情報により示される日時が、許可日時情報により示される再生許可日時以降であるか否かを判定する判定手段とを備え、生成手段は、日時情報により示される日時が、許可日時情報により示される再生許可日時以降であると判定手段により判定された場合、再生情報を生成する。
【００１３】
好ましくは、端末装置の記憶手段に記憶される許可日時情報は、コンテンツ再生システムに含まれるコンテンツ配信装置が、端末装置へ送信した情報である。
【００１４】
この発明のさらに他の局面に従うと、コンテンツ再生システムに含まれるサーバは、日時を補正するための日時情報を、端末装置へ送信する日時情報送信手段を備える。
【００１５】
好ましくは、日時を補正するための日時情報は、ネットワーク・タイム・プロトコルに基づく情報である。
【００１６】
この発明のさらに他の局面に従うと、再生装置と、端末装置とを含むコンテンツ再生システムにより実行されるコンテンツ再生方法は、端末装置の位置を示す端末位置情報を取得するステップと、端末位置情報が示す端末装置の位置が、予め登録された位置から所定範囲内にある場合、再生対象コンテンツを再生するための再生情報を生成するステップと、再生情報を、再生装置へ送信するステップと、再生装置により受信された再生情報に基づいて、再生対象コンテンツを再生するステップとを備える
【発明の効果】
【００１７】
本発明に係るコンテンツ再生システムは、再生装置と、端末装置とを含む。端末装置は、端末装置の位置を示す端末位置情報を取得し、端末位置情報が示す端末装置の位置が、予め登録された位置から所定範囲内にある場合、再生対象コンテンツを再生するための再生情報を生成し、再生情報を、再生装置へ送信する。再生装置は、受信した再生情報に基づいて、再生対象コンテンツを再生する。
【００１８】
すなわち、端末装置が、予め登録された位置から所定範囲内にある場合にのみ、再生対象コンテンツを再生することができる。したがって、コンテンツの不正再生を防ぎつつ、容易に、コンテンツを再生することができるという効果を奏する。
【００１９】
本発明に係る再生装置は、コンテンツ再生システムに含まれる再生装置である。したがって、コンテンツ再生システムの奏する効果を得ることができる。すなわち、コンテンツの不正再生を防ぎつつ、容易に、コンテンツを再生することができるという効果を奏する。
【００２０】
本発明に係る端末装置は、コンテンツ再生システムに含まれる端末装置である。したがって、コンテンツ再生システムの奏する効果を得ることができる。すなわち、コンテンツの不正再生を防ぎつつ、容易に、コンテンツを再生することができるという効果を奏する。
【００２１】
本発明に係るサーバは、コンテンツ再生システムに含まれるサーバである。したがって、コンテンツ再生システムの奏する効果を得ることができる。すなわち、コンテンツの不正再生を防ぎつつ、容易に、コンテンツを再生することができるという効果を奏する。
【００２２】
本発明に係るコンテンツ再生方法は、再生装置と、端末装置とを含むコンテンツ再生システムにより実行される。コンテンツ再生方法では、以下の処理が行なわれる。端末装置の位置を示す端末位置情報を取得し、端末位置情報が示す端末装置の位置が、予め登録された位置から所定範囲内にある場合、再生対象コンテンツを再生するための再生情報を生成する。再生情報に基づいて、再生対象コンテンツを再生する。
【００２３】
すなわち、端末装置が、予め登録された位置から所定範囲内にある場合にのみ、再生対象コンテンツを再生することができる。したがって、コンテンツの不正再生を防ぎつつ、容易に、コンテンツを再生することができるという効果を奏する。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００２６】
＜第１の実施の形態＞
（システムの構成）
図１は、本実施の形態におけるネットワークシステム１０００の構成を示す図である。図１を参照して、ネットワークシステム１０００には、ホームネットワーク５０１．１，５０１．２，・・・，５０１．ｎが含まれる。以下においては、ホームネットワーク５０１．１，５０１．２，・・・，５０１．ｎ（ｎ：自然数）を総括的に、ホームネットワーク５０１ともいう。
【００２７】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２８】
通信端末装置５００は、携帯電話である。なお、通信端末装置５００は、携帯電話に限定されることなく、通信機能を備え、携帯可能な装置であればどのような装置（たとえば、ＰＤＡ（Personal Digital Assistance）、ＰＣ（Personal Computer））でもよい。
【００２９】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００３０】
映像表示装置６００は、テレビジョン受信機である。なお、映像表示装置６００は、テレビジョン受信機の一例として、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＰＣ、ＳＴＢ（Set Top Box）、ＨＤＤ（Hard Disk Drive）レコーダ、ＤＶＤ（Digital Versatile Disc）レコーダ等である。この場合、画像データ送信装置と表示装置の接続方法は特に規定されない。
【００３１】
通信端末装置５００と、映像表示装置６００とは、無線または有線でデータ通信を行なう。すなわち、通信端末装置５００と、映像表示装置６００とを含む映像表示システムが構成される。
【００３２】
通信部５０は、通信端末装置５００、映像表示装置６００およびネットワーク７０の各々と、データ通信を行なう機能を有する。ネットワーク７０は、インターネットなどの外部のネットワークである。
【００３３】
通信部５０は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００３４】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。
【００３５】
したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３６】
また、ネットワーク７０は、電話網６０と、無線または有線によりデータ通信可能である。したがって、通信端末装置５００は、電話網６０を介して、ネットワーク７０とデータ通信可能である。
【００３７】
ネットワークシステム１０００には、さらに、サービスサーバ８００Ａと、検索サーバ８００Ｓと、Ｗｅｂサーバ８００Ｗとが含まれる。
【００３８】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３９】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。
【００４０】
また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００４１】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００４２】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００４３】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００４４】
サービスサーバ８００Ａ、検索サーバ８００ＳおよびＷｅｂサーバ８００Ｗの各々は、ネットワーク７０と、無線または有線でデータ通信を行なう。
【００４５】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００４６】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００４７】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００４８】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４９】
（通信端末装置）
次に、通信端末装置５００について詳細に説明する。
【００５０】
図２は、通信端末装置５００の外観を正面から示した図である。図２を参照して、通信端末装置５００は、表示部５３０と、音声出力部５７０と、ＬＥＤ５７６と、入力部５４０とを備える。
【００５１】
表示部５３０は、文字や画像等を表示する機能を有する。表示部５３０は、ＬＣＤパネル（Liquid Crystal Display Panel）を使用した装置である。なお、表示部５３０は、上記以外の表示方式のパネルを使用した装置であってもよい。
【００５２】
表示部５３０の解像度は、横２４０（ドット）×縦４００（ドット）である。なお、表示部５３０の解像度は、横２４０（ドット）×縦４００（ドット）に限定されることなく、他の解像度であってもよい。
【００５３】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００５４】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００５５】
ＬＥＤ５７６は、通信端末装置５００で行なわれる処理に応じて、光による報知を行なう。たとえば、ＬＥＤ５７６は、電話の着信があった場合、光を点滅させる。
【００５６】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。
【００５７】
具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００５８】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００５９】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００６０】
機能ボタン５４３Ａは、電話をかけるためのボタンである。たとえば、機能ボタン５４３Ａは、後述する数字ボタン群５４６の短押操作により電話番号を入力した後に、短押操作されることで、入力した電話番号の端末装置に電話をかける処理が行なわれる。また、機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００６１】
入力部５４０は、さらに、数字ボタン群５４６を含む。数字ボタン群５４６は、１２個の数字ボタンを含む。なお、数字ボタン群５４６に含まれる数字ボタンの数は、１２個に限定されない。１２個の数字ボタンの各々は、短押操作により、数字、文字または記号等を入力するためのボタンである。１２個の数字ボタンの名称は、それぞれ、０ボタン，１ボタン，２ボタン，３ボタン，４ボタン，５ボタン，６ボタン，７ボタン，８ボタン，９ボタン，記号ボタン１、記号ボタン２という。
【００６２】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００６３】
通信端末装置５００は、さらに、音声入力部５７４と、生体情報取得部５７７とを備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００６４】
生体情報取得部５７７は、人間の生体情報を取得する機能を有する。本実施の形態では、生体情報は、人間の体の一部である指紋をデータ化した情報であるとする。この場合、生体情報は、指紋の画像データ、指紋の特徴部分を抽出したデータ等となる。なお、生体情報は、指紋をデータ化した情報に限定されることなく、静脈、網膜、虹彩、顔等をデータ化した情報であってもよい。また、生体情報は、人間が発した声に基づく声紋等であってもよい。
【００６５】
生体情報取得部５７７は、人間の体の一部が接触すると、接触した体の一部をデータ化した生体情報を、後述する制御部５１０へ送信する。
【００６６】
携帯端末装置５００は、さらに、記録媒体挿入部５５０Ａを備える。記録媒体挿入部５５０Ａは、携帯端末装置５００に後述する記録媒体を挿入する部分である。
【００６７】
図３は、通信端末装置５００の外観を背面から示した図である。図３を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００６８】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００６９】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００７０】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００７１】
図４は、通信端末装置５００の内部構成を示したブロック図である。なお、図４には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００７２】
図４を参照して、通信端末装置５００は、さらに、制御部５１０と、一時記憶部５２２と、記憶部５２０とを備える。
【００７３】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００７４】
制御部５１０は、記憶部５２０に記憶されたプログラム１８０に従って、通信端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００７５】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００７６】
通信端末装置５００は、さらに、アンテナ５０２と、チューナ５０５と、データ処理部５０７とを備える。
【００７７】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００７８】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００７９】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００８０】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００８１】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、Ｈ．２６４形式で圧縮されたデータである。なお、録画データは、Ｈ．２６４形式で圧縮されたデータに限定されることなく、他の形式で圧縮されたデータであってもよい。ここで、他の形式とは、たとえば、ＭＰＥＧ（Moving Picture Experts Group）１、ＭＰＥＧ２等の形式である。
【００８２】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、Ｈ．２６４形式で圧縮されたデータである。なお、デコードデータに含まれる、画像データおよび音声データは、Ｈ．２６４形式で圧縮されたデータに限定されることなく、他の形式で圧縮されたデータであってもよい。ここで、他の形式とは、たとえば、ＭＰＥＧ１、ＭＰＥＧ２等の形式である。
【００８３】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００８４】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００８５】
通信端末装置５００は、さらに、ＶＤＰ５３２と、ＶＲＡＭ（Video Random Access Memory）５３６とを備える。
【００８６】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００８７】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００８８】
通信端末装置５００は、さらに、入力部５４０と、記録媒体アクセス部５５０を備える。
【００８９】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００９０】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００９１】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００９２】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００９３】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００９４】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００９５】
通信部５６０は、ＵＳＢ（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００９６】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００９７】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００９８】
通信部５６２は、制御部５１０と、データの送受信を行なう。通信部５６２は、無線ＬＡＮの規格である、ＩＥＥＥ８０２．１１ｇに基づく無線技術を利用してデータ通信を行なう機能を有する。なお、無線技術は、ＩＥＥＥ８０２．１１ｇに基づく技術に限定されることはなく、その他の無線技術であってもよい。したがって、通信部５６２は、無線により、通信部５０とデータ通信を行なうことができる。
【００９９】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【０１００】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【０１０１】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【０１０２】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【０１０３】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【０１０４】
携帯端末装置５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。
【０１０５】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【０１０６】
制御部５１０は、前述した音声出力部５７０，５７２、音声入力部５７４とデータ通信する。
【０１０７】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【０１０８】
ユーザが音声入力部５７４に含まれるマイクに対して音声を発すると、音声入力部５７４は、マイクにより取得した音声を音声データに変換して、音声データを、制御部５１０へ送信する。
【０１０９】
制御部５１０は、前述したＬＥＤ５７６、撮像部５７８および生体情報取得部５７７の各々とデータ通信する。ＬＥＤ５７６は、制御部５１０からの制御指示に基づいて、光を発する。
【０１１０】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１１１】
生体情報取得部５７７は、生体情報を取得すると、取得した生体情報（たとえば、指紋情報）を、制御部５１０へ送信する。
【０１１２】
通信端末装置５００は、さらに、振動部５７９を備える。振動部５７９は、制御部５１０からの制御指示に基づいて、振動部５７９自身が振動することにより、通信端末装置５００を振動させる機能を有する。振動部５７９は、たとえば、電話の着信、電子メールの受信時に、制御部５１０からの制御指示に基づいて、通信端末装置５００を振動させる。
【０１１３】
通信端末装置５００は、さらに、ＲＦＩＤ（Radio Frequency Identification）５８０を備える。ＲＦＩＤ５８０は、制御部５１０からの制御指示に基づいて、端末、ＩＣ(Integrated Circuit)カード等と、無線により通信を行なう機能を有する。ＲＦＩＤ５８０は、たとえば、FeliCa（登録商標）などのセキュリティ機能をもったＲＦＩＤに基づく集積回路である。
【０１１４】
（映像表示装置）
次に、映像表示装置６００について詳細に説明する。
【０１１５】
図５は、映像表示装置６００の内部構成を示したブロック図である。なお、図５には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１１６】
図５を参照して、映像表示装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。
【０１１７】
表示部６３０が表示可能な画像のサイズは、表示部５３０が表示可能な画像のサイズより大きい。また、表示部６３０の解像度は、表示部５３０の解像度より大きい。たとえば、表示部６３０の解像度は、横１９２０（ドット）×縦１０８０（ドット）の解像度である。なお、表示部６３０の解像度は、横１９２０（ドット）×縦１０８０（ドット）に限定されることなく、他の解像度であってもよい。
【０１１８】
音声出力部６７０は、映像表示装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１１９】
映像表示装置６００は、さらに、制御部６１０と、一時記憶部６２２と、記憶部６２０とを備える。
【０１２０】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【０１２１】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１２２】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１２３】
映像表示装置６００は、さらに、アンテナ６０２と、チューナ６０５と、データ処理部６０７とを備える。
【０１２４】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１２５】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１２６】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１２７】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１２８】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。
【０１２９】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、Ｈ．２６４等の形式である。
【０１３０】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１３１】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１３２】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１３３】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１３４】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１３５】
映像表示装置６００は、さらに、ＶＤＰ６３２と、ＶＲＡＭ６３６とを備える。
ＶＲＡＭ６３６は、画像データを一時的に記憶する機能を有する。
【０１３６】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１３７】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１３８】
映像表示装置６００は、さらに、入力部６４０と、記録媒体アクセス部６５０とを備える。
【０１３９】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１４０】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１４１】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１４２】
記録媒体５５５Ａは、ＳＤメモリーカード（登録商標）である。なお、記録媒体５５５は、ＳＤメモリーカード（登録商標）に限定されることなく、データを不揮発的に記録可能なその他の媒体、たとえば、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＣＤ−ＲＯＭ（Compact Disk Read Only Memory）、等であってもよい。
【０１４３】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１４４】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１４５】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１４６】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１４７】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１４８】
なお、前述した通信端末装置５００がリモコン３００の機能を有することも想定でき、通信端末装置５００、リモコン３００は、２つが存在する場合、および一方のみしか存在しない場合なども想定できる。
【０１４９】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１５０】
映像表示装置６００は、さらに、ＲＦＩＤ６９０を備える。ＲＦＩＤ６９０は、制御部６１０からの制御指示に基づいて、端末、ＩＣカード等と、無線により通信を行なう機能を有する。ＲＦＩＤ６９０は、前述したＲＦＩＤ５８０と同様な回路であるので詳細な説明は繰り返さない。
【０１５１】
（サービスサーバ、検索サーバおよびＷｅｂサーバ）
図６は、サービスサーバ８００Ａの内部構成を示したブロック図である。図６を参照して、サービスサーバ８００Ａは、表示部８３０と、制御部８１０と、一時記憶部８２２と、記憶部８２０とを備える。
【０１５２】
表示部８３０は、文字や画像等を表示する機能を有する。表示部８３０は、前述の表示部６３０と同様なものであるので詳細な説明は繰り返さない。
【０１５３】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１５４】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１５５】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１５６】
サービスサーバ８００Ａは、さらに、ＶＤＰ８３２と、ＶＲＡＭ８３６とを備える。
ＶＲＡＭ８３６は、画像データを一時的に記憶する機能を有する。
【０１５７】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１５８】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１５９】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１６０】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１６１】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１６２】
なお、検索サーバ８００ＳおよびＷｅｂサーバ８００Ｗの各々も、前述したサービスサーバ８００Ａと同様な構成を有するので詳細な説明は繰り返さない。
【０１６３】
（リモコン）
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１６４】
図７は、一例としてのリモコン画像ＭＧ１００を示す図である。図７を参照して、リモコン画像ＭＧ１００には、ボタン画像ＭＢＧ１１０，ＭＢＧ１２０，ＭＢＧ１３０が配置される。
【０１６５】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１６６】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１６７】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１６８】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１６９】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１７０】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１７１】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１７２】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。なお、チャンネルプラスリモコン信号は、ＴＶ画像のチャンネル番号を、１インクリメントさせるためのリモコン信号であってもよい。
【０１７３】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。なお、チャンネルマイナスリモコン信号は、ＴＶ画像のチャンネル番号を、１デクリメントさせるためのリモコン信号であってもよい。
【０１７４】
リモコン画像ＭＧ１００には、さらに、ボタン画像ＭＢＧ１７０，ＭＢＧ１８０が配置される。ボタン画像ＭＢＧ１７０およびボタン画像ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１７５】
以下においては、通信端末装置５００が、映像表示装置６００へリモコン信号を送信することで映像表示装置６００を操作可能な場合における、通信端末装置５００の動作モードを、リモコンモードともいう。
【０１７６】
なお、リモコンモードの通信端末装置５００において、数字ボタン群５４６に含まれる１２個の数字ボタンのいずれかが短押操作された場合、制御部５１０は、押下された数字ボタンに対応するリモコン信号を出力する。
【０１７７】
（データ通信）
次に、リモコンモードの通信端末装置５００で行なわれる処理（以下、操作判定処理Ｍともいう）と、通信端末装置５００から送信されるリモコン信号を受信した場合に映像表示装置６００で行なわれる処理（以下、制御信号対応処理Ｔともいう）について説明する。
【０１７８】
図８は、操作判定処理Ｍおよび制御信号対応処理Ｔのフローチャートである。図８を参照して、通信端末装置５００が行なう操作判定処理Ｍでは、まず、ステップＳ１０の処理が行なわれる。
【０１７９】
ステップＳ１０では、制御部５１０が、制御操作があるか否かを判定する。ここで、制御操作は、表示部５３０に対するタッチ操作、または、通信端末装置５００の外部に設けられた複数の外部ボタンのいずれかの押下操作である。
【０１８０】
複数の外部ボタンは、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂ、数字ボタン群５４６に含まれる１２個の数字ボタンである。ステップＳ１０において、ＹＥＳならば、ステップＳ１２に進む。一方、ステップＳ１０において、ＮＯならば、再度、ステップＳ１０の処理が行なわれる。
【０１８１】
ステップＳ１２では、制御部５１０が、通信部５６０を利用して、制御操作に対応する、映像表示装置６００を操作するための制御信号としてのリモコン信号を、映像表示装置６００へ送信する。ステップＳ１２の処理が終了すると、再度、ステップＳ１０の処理が行なわれる。
【０１８２】
映像表示装置６００が行なう制御信号対応処理Ｔでは、まず、ステップＳ２０の処理が行なわれる。
【０１８３】
ステップＳ２０では、制御部６１０が、制御信号としてのリモコン信号を受信したか否かを判定する。ステップＳ２０において、ＹＥＳならば、ステップＳ２２に進む。一方、ステップＳ２０において、ＮＯならば、再度、ステップＳ２０の処理が行なわれる。
【０１８４】
ステップＳ２２では、制御信号対応処理が行なわれる。制御信号対応処理では、制御部６１０が、受信したリモコン信号に応じた処理を行なう。ステップＳ２２の処理が終了すると、再度、ステップＳ２０の処理が行なわれる。
【０１８５】
（初期設定）
次に、映像表示装置６００の初期設定を行なうための処理について説明する。映像表示装置６００の初期設定は、たとえば、初めて、映像表示装置６００の電源をオンにする場合に行なわれる処理（以下、初期設定処理Ｔともいう）である。
【０１８６】
図９は、初期設定処理Ｔのフローチャートである。図９では、通信端末装置５００およびサービスサーバ８００Ａの各々において行なわれる処理も示している。初期設定処理Ｔでは、まず、ステップＳ１４１の処理が行なわれる。
【０１８７】
ステップＳ１４１では、初期画像表示処理Ｔが行なわれる。初期画像表示処理Ｔでは、制御部６１０が、ＶＤＰ６３２を利用して、以下の初期画像Ｇ１００を生成し、表示部６３０に、初期画像Ｇ１００を表示させる。そして、ステップＳ１４１の処理は終了する。
【０１８８】
図１０は、一例としての初期画像Ｇ１００を示す図である。図１０を参照して、初期画像Ｇ１００には、通信端末装置５００を、データ通信部に近づける旨のメッセージが表示される。ここで、データ通信部は、映像表示装置６００の外部に設けられた、図示されない通信部である。データ通信部の近傍であって、映像表示装置６００の内部には、ＲＦＩＤ６９０が配置される。すなわち、データ通信部は、ＲＦＩＤ６９０により、通信端末装置５００と、無線通信可能な通信部である。
【０１８９】
再び、図９を参照して、ステップＳ１４１の処理の後、ステップＳ１４２に進む。
ステップＳ１４２では、通信端末装置５００が検出されたか否かが判定される。具体的には、制御部６１０が、ＲＦＩＤ６９０を利用して、通信端末装置５００とデータ通信可能となったか否かを判定する。ステップＳ１４２において、ＹＥＳならば、ステップＳ１４３に進む。一方、ステップＳ１４２において、ＮＯならば、再度、ステップＳ１４２の処理が行なわれる。
【０１９０】
ここで、通信端末装置５００のユーザが、通信端末装置５００を、データ通信部から所定距離以内になるよう、データ通信部に近づけることにより、制御部６１０が、ＲＦＩＤ６９０により、通信端末装置５００と、無線通信可能となったとする。ここで、所定距離は、一例として、５センチメートルであるとする。この場合、ステップＳ１４２において、ＹＥＳと判定され、ステップＳ１４３に進む。
【０１９１】
ステップＳ１４３では、制御部６１０が、ＲＦＩＤ６９０を利用して、以下のサービス利用必要データＴＤ１００を、通信端末装置５００へ送信する。サービス利用必要データＴＤ１００は、通信端末装置５００および映像表示装置６００が、サービスサーバ８００Ａからサービスを享受するために必要なデータである。なお、サービス利用必要データＴＤ１００に示される情報は、予め、記憶部６２０に記憶されている情報である。そして、ステップＳ１４３の処理は終了する。
【０１９２】
なお、サービス利用必要データＴＤ１００の送信方法は、ＲＦＩＤ６９０を利用した方法に限定されることはない。サービス利用必要データＴＤ１００の送信方法は、たとえば、赤外線、Bluetooth（登録商標）等を利用した無線通信による送信方法であってもよい。また、ＬＡＮ、ＲＳ２３２Ｃ、ＵＳＢ(Universal Serial Bus)等を利用した有線通信であってもよい。
【０１９３】
また、サービス利用必要データＴＤ１００の送信方法は、表示部６３０に、サービス利用必要データＴＤ１００の情報を示すＱＲ（Quick Response）コード（登録商標）を表示する方法であってもよい。この場合、通信端末装置５００は、表示部６３０に表示されたＱＲコード（マトリックス型の二次元バーコード）（登録商標）を、通信端末装置５００のカメラ（撮像部５７８）にて撮像・解析することにより、通信端末装置５００は、サービス利用必要データＴＤ１００を取得することが可能となる。
【０１９４】
図１１は、一例としてのサービス利用必要データＴＤ１００を示す図である。図１１を参照して、サービス利用必要データＴＤ１００において、「サービスＵＲＬ」とは、サービスサイトのＵＲＬである。
【０１９５】
ここで、サービスサイトは、サービスを提供するＷｅｂサイトである。また、サービスサイトが提供するサービスは、たとえば、コンテンツの配信である。配信されるコンテンツは、たとえば、動画像データである。ここで、サービスサイトは、サービスサーバ８００Ａが提供するサイトであるとする。サービスサイトが提供するデータは、サービスサーバ８００Ａの記憶部８２０に記憶されている。
【０１９６】
サービス利用必要データＴＤ１００において、「サービスＩＤ」とは、映像表示装置６００が享受するサービスを特定するためのＩＤである。「装置ＩＤ」とは、装置を識別するための情報である。ここで、装置ＩＤ“１１ＴＡ”は、映像表示装置６００の装置ＩＤであるとする。
【０１９７】
再び、図９を参照して、通信端末装置５００では、ステップＳ１１１の処理が行なわれる。
【０１９８】
ステップＳ１１１では、制御部５１０が、サービス利用必要データＴＤ１００を受信したか否かを判定する。ステップＳ１１１において、ＹＥＳならば、ステップＳ１１２に進む。一方、ステップＳ１１１において、ＮＯならば、再度、ステップＳ１１１の処理が行なわれる。ここでは、サービス利用必要データＴＤ１００を受信したとして、ステップＳ１１２に進む。
【０１９９】
ステップＳ１１２では、位置情報取得処理Ｍが行なわれる。位置情報取得処理Ｍは、通信端末装置５００の位置が、映像表示装置６００のデータ通信部から所定距離以内にある場合に行なわれるとする。ここで、所定距離は、一例として、５センチメートルであるとする。
【０２００】
位置情報取得処理Ｍでは、制御部５１０が、通信部５６６から、前述したＧＰＳ位置情報を取得する。ここで、取得されたＧＰＳ位置情報は、通信端末装置５００の経度および緯度を示す。ＧＰＳ位置情報により示される経度および緯度は、一例として、それぞれ、東経１３５度４０分および北緯３４度２５分であるとする。そして、制御部５１０は、取得したＧＰＳ位置情報に基づく位置データを、記憶部５２０に記憶させる。そして、ステップＳ１１２の処理は終了する。ここで、記憶部５２０に記憶される位置データは、以下の位置データＭＤ１００であるとする。
【０２０１】
図１２は、一例としての位置データＭＤ１００を示す図である。図１２を参照して、位置データＭＤ１００において、「位置」とは、取得されたＧＰＳ位置情報が示す情報である。「位置」の項目のＸ、Ｙは、それぞれ、通信端末装置５００の経度および緯度を示す。したがって、位置データＭＤ１００では、一例として、通信端末装置５００の経度および緯度が、それぞれ、東経１３５度４０分および北緯３４度２５分であることを示す。
【０２０２】
なお、前述したように、位置情報取得処理Ｍは、通信端末装置５００の位置が、映像表示装置６００のデータ通信部から５センチメートル以内の近距離にある場合に行なわれる。したがって、位置データＭＤ１００により示される経度および緯度は、それぞれ、映像表示装置６００の経度および緯度でもある。
【０２０３】
再び、図９を参照して、ステップＳ１１２の処理の後、ステップＳ１１３に進む。
ステップＳ１１３では、制御部５１０が、サービス利用必要データＡとしての以下のサービス利用必要データＴＤ１１０を、図１１のサービス利用必要データＴＤ１００に示されるサービスＵＲＬ“http://www.bb.com/”により特定されるサービスサイトを提供するサービスサーバ８００Ａへ送信する。また、制御部５１０は、サービス利用必要データＴＤ１１０を、記憶部５２０に記憶させる。そして、ステップＳ１１３の処理は終了する。
【０２０４】
図１３は、一例としてのサービス利用必要データＴＤ１１０を示す図である。図１３を参照して、サービス利用必要データＴＤ１１０において、「サービスＩＤ」とは、図１１のサービス利用必要データＴＤ１００に示される「サービスＩＤ」であるので詳細な説明は繰り返さない。
【０２０５】
「コンテンツ受信装置ＩＤ」とは、サービスサーバ８００Ａから、フルＨＤ方式の映像コンテンツ（以下、高解像度コンテンツともいう）を受信する装置（映像表示装置６００）の装置ＩＤである。なお、映像表示装置６００が、サービスサーバ８００Ａから受信するコンテンツは、フルＨＤ方式のコンテンツに限定されることはなく、映像コンテンツであれば、他の解像度のコンテンツであってもよい。
【０２０６】
「データ送信装置ＩＤ」とは、サービス利用必要データＴＤ１１０を送信する装置の装置ＩＤである。すなわち、通信端末装置５００の装置ＩＤは、“09011110000”である。「装置形名」とは、通信端末装置５００の形名である。「位置」とは、位置データＭＤ１００に示される位置情報である。すなわち、サービス利用必要データＴＤ１１０に示される位置情報は、通信端末装置５００および映像表示装置６００の経度および緯度を示す。すなわち、通信端末装置５００に搭載されているＧＰＳ機能を利用することで映像表示装置６００の位置の判別にも利用できる。
【０２０７】
再び、図９を参照して、サービスサーバ８００Ａでは、まず、ステップＳ１８１の処理が行なわれる。
【０２０８】
ステップＳ１８１では、制御部８１０が、サービス利用必要データＡとしてのサービス利用必要データＴＤ１１０を受信したか否かを判定する。ステップＳ１８１において、ＹＥＳならば、ステップＳ１８２に進む。一方、ステップＳ１８１において、ＮＯならば、再度、ステップＳ１８１の処理が行なわれる。ここでは、サービス利用必要データＡとしてのサービス利用必要データＴＤ１１０を受信したとして、ステップＳ１８２に進む。
【０２０９】
ステップＳ１８２では、記憶処理Ｓが行なわれる。記憶処理Ｓでは、制御部８１０が、受信したサービス利用必要データＴＤ１１０を、記憶部８２０に記憶させる。そして、ステップＳ１８３に進む。
【０２１０】
ステップＳ１８３では、制御部８１０が、ユーザ登録用Ｗｅｂデータを、通信端末装置５００へ送信する。ここで、ユーザ登録用Ｗｅｂデータは、後述する情報登録Ｗｅｂページ画像を、通信端末装置５００の表示部５３０に表示させるためのデータである。そして、ステップＳ１８３の処理は終了する。
【０２１１】
通信端末装置５００では、ステップＳ１１３の処理の後、ステップＳ１１４に進む。
ステップＳ１１４では、情報登録画像表示処理Ｍが行なわれる。情報登録画像表示処理Ｍでは、制御部５１０がユーザ登録用Ｗｅｂデータを受信すると、制御部５１０が、Ｗｅｂブラウザプログラムを実行することにより、受信したユーザ登録用Ｗｅｂデータに基づく、以下のＷｅｂブラウザ画像ＭＧ２００を、表示部５３０に表示させる。なお、Ｗｅｂブラウザプログラムは、前述のプログラム１８０に含まれるプログラムである。そして、ステップＳ１１４の処理は終了する。なお、ユーザ登録用Ｗｅｂデータ受信時に実行されるプログラムは、Ｗｅｂブラウザプログラムに限定されるものではなく、通信手段を活用したアプリケーションであってもよい。
【０２１２】
図１４は、一例としてのＷｅｂブラウザ画像ＭＧ２００を示す図である。図１４を参照して、Ｗｅｂブラウザ画像ＭＧ２００には、ＵＲＬ表示画像ＭＧ２１０と、情報登録Ｗｅｂページ画像ＭＧ２２０とが配置される。
【０２１３】
ＵＲＬ表示画像ＭＧ２１０には、サービスＵＲＬが表示される。
情報登録Ｗｅｂページ画像ＭＧ２２０は、サービスサイトに登録するための情報を入力するための画像である。なお、情報登録Ｗｅｂページ画像ＭＧ２２０に示される「名前」、「ユーザＩＤ］、「メールアドレスＴ」、「メールアドレスＭ」、「住所」および「嗜好キーワード」の各々の項目には、説明のために、一例としての情報を示している。
【０２１４】
しかしながら、ステップＳ１１４の処理により、表示部５３０にＷｅｂブラウザ画像ＭＧ２００が表示された直後には、「名前」、「ユーザＩＤ］、「メールアドレスＴ」、「メールアドレスＭ」、「住所」および「嗜好キーワード」の各々の項目には、情報が入力されていない状態である。「名前」、「ユーザＩＤ］、「メールアドレスＴ」、「メールアドレスＭ」、「住所」および「嗜好キーワード」の各々の項目の情報は、インターフェース操作Ｍにより入力される。
【０２１５】
情報登録Ｗｅｂページ画像ＭＧ２２０において、「ユーザＩＤ」とは、登録したサービスサイトにおいて識別されるＩＤである。「メールアドレスＴ」とは、サービスサーバ８００Ａから高解像度コンテンツを受信する映像表示装置６００に設定されたメールアドレスである。「メールアドレスＭ」とは、通信端末装置５００に設定されたメールアドレスである。
【０２１６】
「嗜好キーワード」とは、ユーザの嗜好に応じたキーワードである。すなわち、嗜好キーワードは、嗜好情報である。なお、嗜好キーワードの入力は任意であるとする。Ｗｅｂページ画像ＭＧ２２０では、嗜好キーワードの一例として、「アクション」、「コメディ」、「スポーツ」というキーワードが入力されている。なお、嗜好キーワードは、３つに限定されることはない。
【０２１７】
情報登録Ｗｅｂページ画像ＭＧ２２０には、ボタン画像ＭＢＧ２８５が配置されている。ボタン画像ＭＢＧ２８５は、押下処理されることにより、入力された情報を、サービスサイトに登録する処理を行なうためのボタン画像である。
【０２１８】
再び、図９を参照して、ステップＳ１１４の処理の後、ステップＳ１１５に進む。
ステップＳ１１５では、制御部５１０が、登録操作Ｍがあるか否かを判定する。登録操作Ｍは、ボタン画像ＭＢＧ２８５を押下処理するためのインターフェース操作Ｍである。ステップＳ１１５において、ＹＥＳならば、ステップＳ１１６に進む。一方、ステップＳ１１５において、ＮＯならば、再度、ステップＳ１１５の処理が行なわれる。ここでは、図１４に示す、「名前」、「ユーザＩＤ］、「メールアドレスＴ」、「メールアドレスＭ」、「住所」および「嗜好キーワード」の各々の情報が入力された状態で、登録操作Ｍがあったとして、ステップＳ１１６に進む。
【０２１９】
ステップＳ１１６では、制御部５１０が、登録操作Ｍが行なわれたときに、情報登録Ｗｅｂページ画像ＭＧ２２０に入力されている情報を、ユーザデータとして、サービスサーバ８００Ａへ送信する。ここで、サービスサーバ８００Ａへ送信されるユーザデータは、以下のユーザデータＭＤ２００であるとする。
【０２２０】
図１５は、一例としてのユーザデータＭＤ２００を示す図である。図１５を参照して、ユーザデータＭＤ２００に示される各項目は、前述したので詳細な説明は繰り返さない。
【０２２１】
再び、図９を参照して、サービスサーバ８００Ａでは、ステップＳ１８３の処理の後、ステップＳ１８４に進む。
【０２２２】
ステップＳ１８４では、ユーザデータ登録処理Ｓが行なわれる。ユーザデータ登録処理Ｓでは、制御部８１０が、ユーザデータを受信した場合、受信したユーザデータを、記憶部８２０に記憶させる。ここでは、ユーザデータＭＤ２００を受信したとする。記憶部８２０に、ユーザデータが記憶されると、ステップＳ１８５に進む。
【０２２３】
ステップＳ１８５では、制御部８１０が、サービス利用データを、サービスサーバ８００Ａへ送信する。サービス利用データは、通信端末装置５００および映像表示装置６００が、サービスサーバ８００Ａからサービスを享受するためのデータである。ここで、サービス利用データには、コンテンツ管理プログラムと、以下のサービス享受データＳＤ３００とが含まれる。そして、再度、ステップＳ１８１の処理が行なわれる。コンテンツ管理プログラムは、コンテンツを管理するためのプログラムである。また、コンテンツ管理プログラムは、サービスサーバ８００Ａに対して、後述する予約指示等により遠隔操作を行なうためのリモート操作プログラムでもある。
【０２２４】
図１６は、一例としてのサービス享受データＳＤ３００を示す図である。図１６を参照して、「サービス利用ＩＤ」とは、サービスサーバ８００Ａが提供するサービスを利用するためのＩＤである。「ユーザＩＤ」は、前述したので詳細な説明は繰り返さない。「サービス利用パスワード」は、サービスサーバ８００Ａが提供するサービスを、映像表示装置６００に利用可能とさせるためのパスワードである。「プログラム名」とは、サービス利用データに含まれるプログラムの名称である。「登録後サービスＵＲＬ」とは、サービスサーバ８００Ａにおいて、図９のステップＳ１８４のユーザデータ登録処理Ｓが行なわれた後に、通信端末装置５００および映像表示装置６００が、アクセスを許可されたＵＲＬである。
【０２２５】
再び、図９を参照して、通信端末装置５００では、ステップＳ１１６の処理の後、ステップＳ１１７に進む。
【０２２６】
ステップＳ１１７では、サービス利用データ受信処理Ｍが行なわれる。サービス利用データ受信処理Ｍでは、制御部５１０が、サービス利用データを受信した場合、受信したサービス利用データを、記憶部５２０に記憶させる。ここでは、コンテンツ管理プログラムと、サービス享受データＳＤ３００とが含まれるサービス利用データを受信したとする。記憶部５２０にサービス利用データが記憶されると、ステップＳ１１８に進む。
【０２２７】
ステップＳ１１８では、制御部５１０が、サービス享受データＳＤ３１０を、映像表示装置６００へ送信する。そして、ステップＳ１１８の処理は終了する。
【０２２８】
図１７は、一例としてのサービス享受データＳＤ３１０を示す図である。図１７を参照して、サービス享受データＳＤ３１０は、図１６のサービス享受データＳＤ３００と比較して、「プログラム名」の項目がない点が異なる。それ以外は、サービス享受データＳＤ３００と同様なので詳細な説明は繰り返さない。
【０２２９】
映像表示装置６００では、ステップＳ１４３の処理の後、ステップＳ１４６に進む。
ステップＳ１４６では、設定最終処理Ｔが行なわれる。設定最終処理Ｔでは、制御部６１０が、サービス享受データＳＤ３１０を受信した場合、制御部６１０は、受信したサービス享受データＳＤ３１０を、記憶部６２０に記憶させる。
【０２３０】
そして、制御部６１０は、サービス享受データＳＤ３１０に示されるサービス利用パスワード“ａａｂｂｃｃ”を利用して、映像表示装置６００に対し、サービスサーバ８００Ａが提供するサービス（高解像度コンテンツの配信）を利用可能とさせるための各種設定処理を行なう。そして、制御部６１０は、ＶＤＰ６３２を利用して、表示部６３０に、たとえば、初期設定が完了した旨のメッセージを所定時間（たとえば、１分）表示させる。そして、初期設定処理Ｔは終了する。
【０２３１】
以上の処理により、映像表示装置６００の初期設定が完了する。すなわち、通信端末装置５００にてサービス経由にて設定した情報を、映像表示装置に提供することで複数の機器を連携させた初期設定も簡易に実現可能になる。
【０２３２】
なお、サービスサーバ８００Ａは、ステップＳ１８５の処理の後、設定完了メールを、通信端末装置５００に設定されたメールアドレスに送信してもよい。設定完了メールには、たとえば、映像表示装置６００の初期設定が完了した旨のメッセージが表示された電子メールである。
【０２３３】
通信端末装置５００は、自装置宛の設定完了メールを、図示しないメールサーバから受信することにより、映像表示装置６００の初期設定が完了した旨を知ることができる。
【０２３４】
（コンテンツの予約）
次に、サービスサーバ８００Ａから送信された、コンテンツの紹介メールに基づいて、コンテンツのダウンロード予約をするための処理（以下、コンテンツ予約処理ともいう）について説明する。以下においては、コンテンツ予約処理において、通信端末装置５００が行なう処理を、コンテンツ予約処理Ｍともいう。
【０２３５】
なお、コンテンツ予約処理Ｍは、通信端末装置５００において、制御部５１０が、図９のステップＳ１１７の処理において受信したコンテンツ管理プログラムを実行することにより行なわれる処理でもある。コンテンツ管理プログラムは、サービスサーバ８００Ａに対して、後述する予約指示等により遠隔操作を行なうためのリモート操作プログラムでもある。
【０２３６】
また、コンテンツ予約処理において、映像表示装置６００が行なう処理を、コンテンツ予約処理Ｔともいう。また、コンテンツ予約処理において、サービスサーバ８００Ａが行なう処理を、コンテンツ予約処理Ｓともいう。
【０２３７】
ここで、サービスサーバ８００Ａの記憶部８２０には、所定期間（たとえば、１週間）毎に、新規の高解像度コンテンツが追加記憶されるとする。また、記憶部８２０に記憶されている、複数の高解像度コンテンツの各々には、対応する高解像度コンテンツの関連情報を示すコンテンツ関連データが対応づけられる。複数の高解像度コンテンツの各々に対応づけられたコンテンツ関連データは、記憶部８２０に記憶される。ここで、記憶部８２０には、以下のコンテンツ関連データＣＴＤ４００が対応付けられた高解像度コンテンツが記憶されているとする。
【０２３８】
図１８は、一例としてのコンテンツ関連データＣＴＤ４００を示す図である。図１８を参照して、コンテンツ関連データＣＴＤ４００において、「コンテンツＩＤ」とは、コンテンツを特定するＩＤである。「ファイル名」は、コンテンツのファイル名である。「タイトル」は、コンテンツのタイトルである。「ジャンル」は、コンテンツの属するジャンルである。「時間（分）」は、コンテンツの再生時間である。「内容」は、コンテンツのあらすじ等である。ここでは、ファイル名の拡張子が、“ｍｐｇ”になっているが、それに限定されるものではない。
【０２３９】
「再生許可期間」は、コンテンツの再生が許可される期間である。「再生許可時間帯」は、「再生許可期間」のうち、コンテンツの再生が許可される時間帯である。「再生許可時間帯」は、対応するコンテンツの配信業者等が設定する。「価格（円）」は、コンテンツの価格である。「ダウンロード時間」は、コンテンツを、所定速度（たとえば、１０Ｍｂｐｓ）においてダウンロードするのに要する時間である。「利用可能日」の項目の「予約日から７日以降」とは、後述するダウンロード予約をした日（予約日）から、少なくとも７日経過後に、コンテンツの再生が可能となることを示す。
【０２４０】
「キーワード」は、コンテンツの関連キーワードが示される。関連キーワードは、たとえば、コンテンツのタイトル、コンテンツのジャンル、コンテンツの出演者名等である。「許可再生制御」は、コンテンツに対して、許可されている再生制御を示す。「禁止再生制御」は、コンテンツに対して、禁止されている再生制御を示す。
【０２４１】
「ＤＬ予約パスワード」は、後述するダウンロード予約が行なわれたときに発行されるパスワードである。「ＤＬ済パスワード」は、コンテンツのダウンロードが終了したときに発行されるパスワードである。「再生許可日時」は、コンテンツの再生が許可される日時である。「再生許可日時」は、「再生許可期間」に示される最初の日の午前０時０分である。したがって、「再生許可期間」が、“２００７年５月１日〜２００７年８月３１日”である場合、「再生許可日時」は、“２００７年５月１日午前０時０分”となる。
【０２４２】
なお、記憶部８２０に記憶されている、複数の高解像度コンテンツの各々は、対応づけられたコンテンツ関連データが示す「再生許可期間」が過ぎると、対応するコンテンツ関連データとともに、制御部８１０により削除される。
【０２４３】
図１９は、コンテンツ予約処理Ｔ、コンテンツ予約処理Ｍおよびコンテンツ予約処理Ｓのフローチャートである。図１９を参照して、コンテンツ予約処理Ｓでは、まず、ステップＳ２８１の処理が行なわれる。
【０２４４】
ステップＳ２８１では、制御部８１０が、記憶部８２０に、嗜好コンテンツが記憶されているか否かを判定する。ここで、嗜好コンテンツとは、記憶部８２０に記憶されているユーザデータに示される嗜好キーワードを示すコンテンツ関連データに対応付けられた高解像度コンテンツである。
【０２４５】
前述したように、嗜好キーワードは、ユーザの嗜好に応じたキーワードである。すなわち、嗜好コンテンツは、ユーザの嗜好に応じたコンテンツである。ステップＳ２８１において、ＹＥＳならば、ステップＳ２８２に進む。一方、ステップＳ２８１において、ＮＯならば、再度、ステップＳ２８１の処理が行なわれる。
【０２４６】
ここで、記憶部８２０には、図１８のコンテンツ関連データＣＴＤ４００が対応付けられた高解像度コンテンツが記憶されているとする。また、記憶部８２０に記憶されているユーザデータは、図１５のユーザデータＭＤ２００であるとする。この場合、ユーザデータＭＤ２００に示される嗜好キーワード“アクション”を示すコンテンツ関連データＣＴＤ４００に対応付けられた嗜好コンテンツが記憶部８２０に記憶されているので、ステップＳ２８２に進む。
【０２４７】
ステップＳ２８２では、嗜好コンテンツデータが送信される。具体的には、制御部８１０が、電子メールとしての嗜好コンテンツ報知メールを、通信端末装置５００に設定されたメールアドレス“taro-m@aaa.ne.jp”を送信先として、図示しないメールサーバへ送信する。ここで、嗜好コンテンツ報知メールは、ステップＳ２８１により存在が確認された嗜好コンテンツの情報を報知するための電子メールである。
【０２４８】
また、嗜好コンテンツ報知メールには、以下のコンテンツ関連データＣＴＤ４００Ａが添付される。すなわち、送信される嗜好コンテンツ報知メールは、コンテンツ関連データＣＴＤ４００Ａが添付された、嗜好コンテンツデータとしての電子メールである。
【０２４９】
なお、コンテンツ関連データの送信方法は、電子メールを使用した方法に限定されず、サービスサーバ８００Ａが、ネットワークを利用して、直接、通信端末装置５００へ送信してもよい。そして、ステップＳ２８２の処理は終了する。
【０２５０】
図２０は、一例としてのコンテンツ関連データＣＴＤ４００Ａを示す図である。図２０を参照して、コンテンツ関連データＣＴＤ４００Ａに示される、「登録位置」以外の項目は、図１８を参照して説明したので詳細な説明は繰り返さない。なお、初期状態では、「ＤＬ予約パスワード」および「ＤＬ済パスワード」の項目の情報は「なし」となっている。
【０２５１】
「登録位置」は、サービスサーバ８００Ａに登録された映像表示装置６００の位置である。具体的には、「登録位置」は、図９のステップＳ１８２の処理により、記憶部８２０に記憶された図１３のサービス利用必要データＴＤ１１０に示される、映像表示装置６００の経度および緯度である。
【０２５２】
メールサーバは、メールアドレス“taro-m@aaa.ne.jp”を送信先とする電子メールとしての嗜好コンテンツ報知メールを受信した場合、受信した嗜好コンテンツ報知メールを、メールアドレス“taro-m@aaa.ne.jp”が設定された通信端末装置５００へ送信する。なお、送信される嗜好コンテンツ報知メールには、コンテンツ関連データＣＴＤ４００Ａが添付される。
【０２５３】
再び、図１９を参照して、コンテンツ予約処理Ｍでは、まず、ステップＳ２１１の処理が行なわれる。
【０２５４】
ステップＳ２１１では、制御部５１０が、コンテンツ関連データが添付された、嗜好コンテンツデータとしての嗜好コンテンツ報知メールを受信したか否かを判定する。ステップＳ２１１において、ＹＥＳならば、ステップＳ２１２に進む。一方、ステップＳ２１１において、ＮＯならば、再度、ステップＳ２１１の処理が行なわれる。ここでは、コンテンツ関連データＣＴＤ４００Ａが添付された嗜好コンテンツ報知メールを、メールサーバから受信したとして、ステップＳ２１２に進む。
【０２５５】
ステップＳ２１２では、報知画像表示処理Ｍが行なわれる。報知画像表示処理Ｍでは、制御部５１０が、ＶＤＰ５３２を利用して、受信した嗜好コンテンツ報知メールおよびコンテンツ関連データＣＴＤ４００Ａに基づく以下の報知画像ＭＧ３００を生成し、報知画像ＭＧ３００を、表示部５３０に表示させる。そして、ステップＳ２１２の処理は終了する。
【０２５６】
図２１は、一例としての報知画像ＭＧ３００を示す図である。図２１を参照して、報知画像ＭＧ３００には、受信したコンテンツ関連データＣＴＤ４００Ａに示される、タイトル、内容、公開日（再生許可日時）、価格等の情報が表示される。また、報知画像ＭＧ３００には、受信したコンテンツ関連データＣＴＤ４００Ａにより特定されるコンテンツのダウンロード予約が可能な旨のメッセージが表示される。また、報知画像ＭＧ３００には、ボタン画像ＭＢＧ３８０が配置される。ボタン画像ＭＢＧ３８０は、押下処理されることにより、サービスサーバ８００Ａに対し、コンテンツ関連データＣＴＤ４００Ａにより特定されるコンテンツのダウンロード予約をするためのボタン画像である。
【０２５７】
再び、図１９を参照して、ステップＳ２１２の処理の後、ステップＳ２１３に進む。
ステップＳ２１３では、制御部５１０が、予約操作Ｍがあるか否かを判定する。予約操作Ｍは、ボタン画像ＭＢＧ３８０を押下処理するためのインターフェース操作Ｍである。ステップＳ２１３において、ＹＥＳならば、ステップＳ２１４に進む。一方、ステップＳ２１３において、ＮＯならば、再度、ステップＳ２１３の処理が行なわれる。ここでは、予約操作Ｍがあったとして、ステップＳ２１４に進む。
【０２５８】
ステップＳ２１４では、予約処理Ｍが行なわれる。予約処理Ｍでは、制御部５１０が、予約指示Ｍを、サービスサーバ８００Ａへ送信する。予約指示Ｍは、コンテンツのダウンロード予約を行なうための指示である。すなわち、予約指示Ｍは、サービスサーバ８００Ａに対しコンテンツを要求するための要求指示でもある。予約指示Ｍには、受信したコンテンツ関連データＣＴＤ４００Ａに示されるコンテンツＩＤ“ＨＤ−ＣＴ０１２３”が含まれる。
【０２５９】
コンテンツ予約処理Ｓでは、ステップＳ２８２の処理の後、ステップＳ２８３に進む。
ステップＳ２８３では、制御部８１０が、予約指示Ｍを受信したか否かを判定する。ステップＳ２８３において、ＹＥＳならば、ステップＳ２８４に進む。一方、ステップＳ２８３において、ＮＯならば、再度、ステップＳ２８３の処理が行なわれる。ここでは、コンテンツＩＤ“ＨＤ−ＣＴ０１２３”が含まれる予約指示Ｍを受信したとして、ステップＳ２８４に進む。
【０２６０】
ステップＳ２８４では、予約受付け処理Ｓが行なわれる。予約受付け処理Ｓでは、制御部８１０が、予約受付データＳを、通信端末装置５００へ送信する。予約受付データＳには、受信した予約指示Ｍに含まれるコンテンツＩＤ“ＨＤ−ＣＴ０１２３”を示す図１８のコンテンツ関連データＣＴＤ４００に示されるＤＬ予約パスワード“ＤＬＲａｂｃ”と、予約指示Ｍを受信した日時（以下、予約受付日時ともいう）とを含む。ＤＬ予約パスワードは、コンテンツのダウンロード予約を受付けたときに発行されるパスワードである。ここで、予約受付日時は、一例として、２００７年４月１日１４時３０分であるとする。
【０２６１】
以下においては、予約受付データＳに含まれるコンテンツＩＤ（たとえば、“ＨＤ−ＣＴ０１２３”）により特定されるコンテンツを、予約済コンテンツともいう。そして、ステップＳ２８４の処理は終了する。
【０２６２】
コンテンツ予約処理Ｍでは、ステップＳ２１４の予約処理Ｍにおいて、制御部５１０は、予約受付データＳを受信すると、受信した予約受付データＳに含まれるＤＬ予約パスワード“ＤＬＲａｂｃ”と、予約受付日時“２００７年４月１日１４時３０分”とを、図２０のコンテンツ関連データＣＴＤ４００Ａに追記する。この場合、コンテンツ関連データＣＴＤ４００Ａは、以下のコンテンツ関連データＣＴＤ４００Ｂとなる。すなわち、記憶部５２０には、コンテンツ関連データＣＴＤ４００Ｂが記憶されることになる。
【０２６３】
図２２は、一例としてのコンテンツ関連データＣＴＤ４００Ｂを示す図である。図２２を参照して、コンテンツ関連データＣＴＤ４００Ｂは、図２０のコンテンツ関連データＣＴＤ４００Ａと比較して、ＤＬ予約パスワードの情報が記述されている点と、予約受付日時の項目が追加されている点とが異なる。それ以外は、コンテンツ関連データＣＴＤ４００Ａと同様なので詳細な説明は繰り返さない。
【０２６４】
そして、ステップＳ２１４の予約処理Ｍでは、制御部５１０が、ＶＤＰ５３２を利用して、以下の予約完了画像ＭＧ４００を生成し、予約完了画像ＭＧ４００を、表示部５３０に表示させる。そして、ステップＳ２１４の処理は終了する。
【０２６５】
図２３は、一例としての予約完了画像ＭＧ４００を示す図である。図２３を参照して、予約完了画像ＭＧ４００には、ダウンロード予約が完了した旨のメッセージと、再生可能な日付等が表示される。また、予約完了画像ＭＧ４００には、ボタン画像ＭＢＧ４８０が配置される。ボタン画像ＭＢＧ４８０が、押下処理されると、コンテンツ予約処理プログラムは一旦終了する。
【０２６６】
再び、図１９を参照して、コンテンツ予約処理Ｓでは、ステップＳ２８４の処理の後、ステップＳ２８５に進む。
【０２６７】
ステップＳ２８５では、制御部８１０が、ダウンロード指示データＳを、図１３のサービス利用必要データＴＤ１１０に示されるコンテンツ受信装置ＩＤ“１１ＴＡ”により特定される映像表示装置６００へ送信する。ダウンロード指示データＳは、映像表示装置６００に対し、コンテンツのダウンロードを指示するためのデータである。ダウンロード指示データＳは、以下の指示データＤＬＤ５００を含む。そして、ステップＳ２８５の処理は終了する。
【０２６８】
図２４は、一例としての指示データＤＬＤ５００を示す図である。図２４を参照して、指示データＤＬＤ５００において、「コンテンツＩＤ」とは、予約済コンテンツを特定するためのＩＤである。「タイトル」とは、予約済コンテンツのタイトルである。
【０２６９】
「関連コンテンツＩＤ」とは、予約済コンテンツに関連するコンテンツを特定するためのＩＤである。予約済コンテンツに関連するコンテンツは、予約済コンテンツが、たとえば、シリーズ物のコンテンツである場合、たとえば、予約済コンテンツの前作または続編のコンテンツである。「関連コンテンツタイトル」とは、「関連コンテンツＩＤ」に特定されるコンテンツのタイトルである。なお、予約済コンテンツに関連するコンテンツがない場合は、「関連コンテンツＩＤ」および「関連コンテンツタイトル」の項目の情報はなしとなる。
【０２７０】
再び、図１９を参照して、コンテンツ予約処理Ｔでは、まず、ステップＳ２４１の処理が行なわれる。
【０２７１】
ステップＳ２４１では、制御部６１０が、ダウンロード指示データＳを受信したか否かを判定する。ステップＳ２４１において、ＹＥＳならば、ステップＳ２４２に進む。一方、ステップＳ２４１において、ＮＯならば、再度、ステップＳ２４１の処理が行なわれる。ここでは、図２４の指示データＤＬＤ５００を含むダウンロード指示データＳを受信したとして、ステップＳ２４２に進む。
【０２７２】
ステップＳ２４２では、関連コンテンツがあるか否かが判定される。具体的には、制御部６１０が、受信した指示データに、関連コンテンツＩＤの情報があるか否かを判定する。ステップＳ２４２において、ＹＥＳならば、ステップＳ２４３に進む。一方、ステップＳ２４２において、ＮＯならば、後述するステップＳ２４５に進む。ここでは、受信した指示データは、指示データＤＬＤ５００であるとして、ステップＳ２４３に進む。
【０２７３】
ステップＳ２４３では、関連コンテンツデータがあるか否かが判定される。具体的には、記憶部６２０に、関連コンテンツＩＤにより特定されるコンテンツのデータが記憶されているか否かが判定される（もしくは、履歴データに基づき、過去に視聴されたものかどうか判別される）。ステップＳ２４３において、ＹＥＳならば、後述するステップＳ２４５に進む。一方、ステップＳ２４３において、ＮＯならば、ステップＳ２４４に進む。ここでは、記憶部６２０に、関連コンテンツＩＤにより特定されるコンテンツのデータが記憶されていないとして、ステップＳ２４４に進む。
【０２７４】
ステップＳ２４４では、関連コンテンツ取得処理Ｔが行なわれる。関連コンテンツ取得処理Ｔでは、制御部６１０が、関連コンテンツを要求するための指示である関連コンテンツ要求指示Ｔを、サービスサーバ８００Ａへ送信する。以下においては、関連コンテンツ要求指示Ｔにより要求される関連コンテンツを要求関連コンテンツともいう。関連コンテンツ要求指示Ｔには、関連コンテンツＩＤ“ＨＤ−ＣＴ０１２４”が含まれる。
【０２７５】
ここで、関連コンテンツ取得処理Ｔは、シリーズモノなどにおいて前作の見忘れを自動的に防止したり、既に次回作が公開されている場合に同時にユーザーに提供することによるユーザーの利便性を考慮した処理である。
【０２７６】
再び、図１９を参照して、コンテンツ予約処理Ｓでは、ステップＳ２８５の処理の後、ステップＳ２８６に進む。
【０２７７】
ステップＳ２８６では、制御部８１０が、コンテンツ送信処理Ｓを実行する。コンテンツ送信処理Ｓは、他の処理とは独立して行なわれる処理である。そして、ステップＳ２８６の処理は終了する。
【０２７８】
コンテンツ送信処理Ｓでは、制御部８１０が、受信した指示に基づくコンテンツと、当該コンテンツに対応するコンテンツ関連データとを、ネットワーク７０および通信部５０を介して、映像表示装置６００へ送信する。ここで、受信した指示は、関連コンテンツＩＤ“ＨＤ−ＣＴ０１２４”を含む関連コンテンツ要求指示Ｔであるとする。この場合、制御部８１０は、関連コンテンツＩＤ“ＨＤ−ＣＴ０１２４”により特定される要求関連コンテンツと、要求関連コンテンツに対応するコンテンツ関連データとを、ネットワーク７０および通信部５０を介して、映像表示装置６００へ送信する。
【０２７９】
ステップＳ２４４の関連コンテンツ取得処理Ｔでは、制御部６１０が、要求関連コンテンツを受信しながら、要求関連コンテンツを、記憶部６２０に記憶させる。また、制御部６１０は、コンテンツ関連データを受信すると、受信したコンテンツ関連データを記憶部６２０に記憶させる。要求関連コンテンツの受信が完了すると、ステップＳ２４５に進む。
【０２８０】
ステップＳ２４５では、コンテンツ取得処理Ｔが行なわれる。コンテンツ取得処理Ｔでは、制御部６１０が、コンテンツを要求するための指示であるコンテンツ要求指示Ｔを、サービスサーバ８００Ａへ送信する。以下においては、コンテンツ要求指示Ｔにより要求されるコンテンツを要求コンテンツともいう。コンテンツ要求指示Ｔには、コンテンツＩＤ“ＨＤ−ＣＴ０１２３”が含まれる。
【０２８１】
コンテンツ送信処理Ｓでは、前述したのと同様な処理が行なわれる。ここで、受信した指示は、コンテンツＩＤ“ＨＤ−ＣＴ０１２３”を含むコンテンツ要求指示Ｔであるとする。この場合、制御部８１０は、コンテンツＩＤ“ＨＤ−ＣＴ０１２３”により特定される要求コンテンツと、要求コンテンツに対応する図１８のコンテンツ関連データＣＴＤ４００とを、ネットワーク７０および通信部５０を介して、映像表示装置６００へ送信する。
【０２８２】
ステップＳ２４５のコンテンツ取得処理Ｔでは、制御部６１０が、要求コンテンツを受信しながら、要求コンテンツを、記憶部６２０に記憶させる。また、制御部６１０は、コンテンツ関連データＣＴＤ４００を受信すると、受信したコンテンツ関連データＣＴＤ４００を記憶部６２０に記憶させる。ここで、サービスサーバ８００Ａから受信する要求コンテンツは、データ容量の大きい高解像度コンテンツである。要求コンテンツのデータ容量は、たとえば、２０ギガバイトであるとする。したがって、要求コンテンツの受信完了までには、かなりの時間が必要である。
【０２８３】
そこで、現在、映像表示装置６００が、要求コンテンツの全容量の何％までを受信したか、所定時間（たとえば、５分）毎に、サービスサーバ８００Ａに通知してもよい。要求コンテンツの受信が完了すると、ステップＳ２４６に進む。なお、前述したステップＳ２４２、Ｓ２４３、Ｓ２４４の処理は、ステップＳ２４５の後に行なわれてもよい。
【０２８４】
ステップＳ２４６では、制御部６１０が、ダウンロード完了通知を、サービスサーバ８００Ａへ送信する。ダウンロード完了通知には、受信（ダウンロード）が完了したコンテンツＩＤ“ＨＤ−ＣＴ０１２３”が含まれる。そして、このコンテンツ予約処理Ｔは終了する。
【０２８５】
コンテンツ予約処理Ｓでは、ステップＳ２８６の処理の後、ステップＳ２８７に進む。
ステップＳ２８７では、制御部８１０が、ダウンロード完了通知を受信したか否かを判定する。ステップＳ２８７において、ＹＥＳならば、ステップＳ２８８に進む。一方、ステップＳ２８７において、ＮＯならば、再度、ステップＳ２８７の処理が行なわれる。ここでは、コンテンツＩＤ“ＨＤ−ＣＴ０１２３”が含まれるダウンロード完了通知を受信したとして、ステップＳ２８８に進む。なお、ダウンロード完了通知を受信した場合、他の処理とは独立して実行されているコンテンツ送信処理Ｓも終了する。
【０２８６】
ステップＳ２８８では、制御部８１０が、コンテンツのダウンロードが終了したときに発行するＤＬ済パスワードを、通信端末装置５００へ送信する。送信されるＤＬ済パスワードは、コンテンツＩＤ“ＨＤ−ＣＴ０１２３”を示す、図１８のコンテンツ関連データＣＴＤ４００に示される“ＤＬＦａｂｃ”である。そして、このコンテンツ予約処理Ｓは終了する。
【０２８７】
コンテンツ予約処理Ｍでは、ステップＳ２１４の処理の後、ステップＳ２１６に進む。
ステップＳ２１６では、制御部５１０が、ＤＬ済パスワードを受信したか否かを判定する。ステップＳ２１６において、ＹＥＳならば、ステップＳ２１７に進む。一方、ステップＳ２１６において、ＮＯならば、再度、ステップＳ２１６の処理が行なわれる。ここでは、ＤＬ済パスワード“ＤＬＦａｂｃ”を受信したとして、ステップＳ２１７に進む。
【０２８８】
ステップＳ２１７では、関連データ更新処理Ｍが行なわれる。関連データ更新処理Ｍでは、制御部５１０が、受信したＤＬ済パスワード“ＤＬＦａｂｃ”を、図２２のコンテンツ関連データＣＴＤ４００Ｂに追記することにより、コンテンツ関連データを更新する。この場合、コンテンツ関連データＣＴＤ４００Ｂは、以下のコンテンツ関連データＣＴＤ４００Ｃとなる。すなわち、記憶部５２０には、コンテンツ関連データＣＴＤ４００Ｃが記憶されることになる。そして、このコンテンツ予約処理Ｍは終了する。
【０２８９】
図２５は、一例としてのコンテンツ関連データＣＴＤ４００Ｃを示す図である。図２５を参照して、コンテンツ関連データＣＴＤ４００Ｃは、図２２のコンテンツ関連データＣＴＤ４００Ｂと比較して、ＤＬ済パスワードの情報が記述されている点が異なる。それ以外は、コンテンツ関連データＣＴＤ４００Ｂと同様なので詳細な説明は繰り返さない。
【０２９０】
以上説明したように、通信端末装置５００は、サービスサーバ８００Ａから送信された、コンテンツ関連データが添付された嗜好コンテンツ報知メールを受信する。嗜好コンテンツ報知メールは、ユーザが登録した嗜好キーワードに基づく嗜好コンテンツの情報を報知するための電子メールである。前述したように、嗜好コンテンツは、ユーザの嗜好に応じたコンテンツである。したがって、ユーザは、嗜好に応じた嗜好コンテンツの情報を容易に得ることができるという効果を奏する。
【０２９１】
また、通信端末装置５００において、ユーザが、図２１のボタン画像ＭＢＧ３８０を押下処理するための予約操作を行なうだけで、嗜好コンテンツを、映像表示装置６００の記憶部６２０に記憶させることができる。すなわち、簡単な操作で、嗜好コンテンツを取得することができるという効果を奏する。
【０２９２】
以上説明した図１９の処理が繰り返されることにより、映像表示装置６００の記憶部６２０には、嗜好コンテンツとしての複数の高解像度コンテンツが記憶される。また、通信端末装置５００の記憶部５２０には、記憶部６２０に記憶された複数の高解像度コンテンツに、それぞれ対応する複数のコンテンツ関連データが記憶される。
【０２９３】
（コンテンツの管理）
次に、通信端末装置５００において、制御部５１０が、図９のステップＳ１１７の処理において受信したコンテンツ管理プログラムを実行することにより、表示部５３０に表示されるコンテンツ管理画像ＭＧ５００を示す。
【０２９４】
図２６は、一例としてのコンテンツ管理画像ＭＧ５００を示す図である。図２６を参照して、コンテンツ管理画像ＭＧ５００には、現在の日時（たとえば、２００７年４月２０日１７時４５分）が表示される。また、コンテンツ管理画像ＭＧ５００には、予約済リスト画像ＭＧ５１０が配置される。
【０２９５】
予約済リスト画像ＭＧ５１０は、制御部５１０が、記憶部５２０に記憶された、複数のコンテンツ関連データに基づいて生成した画像である。予約済リスト画像ＭＧ５１０は、複数の予約済コンテンツ情報を示す。予約済リスト画像ＭＧ５１０において、「番号」とは、複数の予約済コンテンツ情報のいずれかを特定するための番号である。複数の予約済コンテンツ情報の各々は、「タイトル」と、「状態」の情報を含む。
【０２９６】
「タイトル」とは、対応するコンテンツ関連データに示されるコンテンツのタイトルである。「状態」とは、対応するコンテンツ関連データに示される再生許可日時に基づいた状態を示す。
【０２９７】
たとえば、予約済リスト画像ＭＧ５１０に示される番号“１”の予約済コンテンツ情報に対応するコンテンツ関連データは、図２５のコンテンツ関連データＣＴＤ４００Ｃである。また、現在の日時は、２００７年４月２０日１７時４５分であるとする。この場合、コンテンツ関連データＣＴＤ４００Ｃに示される再生許可日時は、“２００７年５月１日０時０分”であるので、「状態」の項目には、２００７年５月１日から再生可能と表示される。
【０２９８】
なお、予約済コンテンツ情報に対応するコンテンツ関連データが示す再生許可日時が、現在の日時である２００７年４月２０日１７時４５分より前の日時である場合、「状態」の項目には、「再生可能」と表示される。
【０２９９】
また、予約済リスト画像ＭＧ５１０には、選択枠ＭＳＬ５２０が配置される。選択枠ＭＳＬ５２０は、複数の予約済コンテンツ情報のうちの１つを選択するための枠である。選択枠ＭＳＬ５２０は、方向ボタン５４１Ａを押下されることにより上に移動する。また、選択枠ＭＳＬ５２０は、方向ボタン５４１Ｂを押下されることにより下に移動する。
【０３００】
コンテンツ管理画像ＭＧ５００には、さらに、ボタン画像ＭＢＧ５８２、ＭＢＧ５８４とが配置される。
【０３０１】
ボタン画像ＭＢＧ５８２は、押下処理されることにより、ダウンロード予約が行なわれていないコンテンツのリストを表示するためのボタン画像である。すなわち、ボタン画像ＭＢＧ５８２が押下処理されると、図１９のステップＳ２１３、Ｓ２１４の処理が行なわれていない複数のコンテンツのタイトルが表示される。
【０３０２】
ボタン画像ＭＢＧ５８４は、押下処理されることにより、選択枠ＭＳＬ５２０により選択されている予約済コンテンツ情報に対応するコンテンツ関連データが示すコンテンツの詳細情報を示すためのボタン画像である。
【０３０３】
ここで、選択枠ＭＳＬ５２０により、番号“１”の予約済コンテンツ情報が選択された状態で、ボタン画像ＭＢＧ５８４を押下処理するためのインターフェース操作Ｍがあったとする。この場合、番号“１”の予約済コンテンツ情報に対応する図２５のコンテンツ関連データＣＴＤ４００Ｃに基づいて、制御部５１０は、ＶＤＰ５３２を利用して、以下のコンテンツ詳細画像ＭＧ６００を生成し、コンテンツ詳細画像ＭＧ６００を、表示部５３０に表示させる。
【０３０４】
図２７は、一例としてのコンテンツ詳細画像ＭＧ６００を示す図である。図２７を参照して、コンテンツ詳細画像ＭＧ６００には、コンテンツ関連データＣＴＤ４００Ｃに示される、タイトル、内容、公開日（再生許可日時）、価格等の情報が表示される。また、コンテンツ詳細画像ＭＧ６００には、現在の日時から、コンテンツ関連データＣＴＤ４００Ｃに示される再生許可日時までの時間が示される。
【０３０５】
また、コンテンツ詳細画像ＭＧ６００には、ボタン画像ＭＢＧ６８０、ＭＢＧ６９０が表示される。ボタン画像ＭＢＧ６８０には、現在の日時が、コンテンツ関連データＣＴＤ４００Ｃに示される再生許可日時“２００７年５月１日０時０分”より前の日時である場合にメッセージが表示される。表示されるメッセージは、たとえば、再生許可日時である“２００７年５月１日０時０分”から再生可能である旨のメッセージである。この場合、ボタン画像ＭＢＧ６８０はグレー表示などで表現され、ボタン画像ＭＢＧ６８０が押下されても何も起こらない。
【０３０６】
ボタン画像ＭＢＧ６９０は、押下処理されることにより、表示部５３０に、コンテンツ管理画像ＭＧ５００を表示させるためのボタン画像である。すなわち、ボタン画像ＭＢＧ６９０が押下処理されると、コンテンツ管理画像ＭＧ５００に戻る。
【０３０７】
なお、現在の日時が、コンテンツ関連データＣＴＤ４００Ｃに示される再生許可日時“２００７年５月１日０時０分”以降になると、コンテンツ詳細画像ＭＧ６００は、以下のコンテンツ詳細画像ＭＧ６００Ａとなる。
【０３０８】
図２８は、一例としてのコンテンツ詳細画像ＭＧ６００Ａを示す図である。図２８を参照して、コンテンツ詳細画像ＭＧ６００Ａは、コンテンツ詳細画像ＭＧ６００と比較して、コンテンツが再生可能である旨のメッセージが表示される点と、ボタン画像ＭＢＧ６８０の代わりに、ボタン画像ＭＢＧ６８０Ａが配置される点とが異なる。それ以外は、コンテンツ詳細画像ＭＧ６００と同様なので詳細な説明は繰り返さない。
【０３０９】
ボタン画像ＭＢＧ６８０Ａは、押下処理されることにより、コンテンツ関連データＣＴＤ４００Ｃに示されるコンテンツを再生するためのボタン画像である。
【０３１０】
（コンテンツの再生）
次に、映像表示装置６００の記憶部６２０に記憶された、嗜好コンテンツとしての高解像度コンテンツを再生するための処理（以下、コンテンツ再生処理ともいう）について説明する。
【０３１１】
ここで、サービスサーバ８００Ａは、ＮＴＰ（Network Time Protocol）に基づく正確な日時の情報（以下、ＮＴＰ日時情報ともいう）を、要求に応じて送信する機能（以下、ＮＴＰ日時情報管理機能ともいう）を有する。また、サービスサーバ８００Ａは、前述したＧＰＳ位置情報等により報知された位置に対応する、ＮＴＰ日時情報（以下、位置対応ＮＴＰ日時情報ともいう）を、要求に応じて送信する機能（以下、位置対応ＮＴＰ日時情報管理機能ともいう）を有する。
【０３１２】
一般的に、電子機器が管理する日時（以下、管理日時ともいう）は、一度、正確な日時に合わせたとしても、時間の経過とともに正確な日時から誤差が生じる。そのため、電子機器は、所定期間（たとえば、１ヶ月）毎に、ＮＴＰに基づく日時情報を取得することにより、管理日時を、正確な日時に補正することにより、管理日時の誤差を所定値以下に保つことができる。すなわち、ＮＴＰに基づく日時情報は、日時を補正するための情報でもある。
【０３１３】
以下においては、コンテンツ再生処理において、通信端末装置５００が行なう処理を、コンテンツ再生処理Ｍともいう。また、コンテンツ再生処理において、映像表示装置６００が行なう処理を、コンテンツ再生処理Ｔともいう。また、コンテンツ再生処理において、サービスサーバ８００Ａが行なう処理を、コンテンツ再生処理Ｓともいう。なお、コンテンツ再生処理Ｓは、サービスサーバ８００Ａではなく、前述のＮＴＰ日時情報管理機能および位置対応ＮＴＰ日時情報管理機能を有する他の装置が行なってもよい。
【０３１４】
ここで、通信端末装置５００の記憶部５２０には、図１３のサービス利用必要データＴＤ１１０と、図２５のコンテンツ関連データＣＴＤ４００Ｃとが記憶されているとする。また、通信端末装置５００では、制御部５１０が、コンテンツ管理プログラムを実行し、表示部５３０に、コンテンツ関連データＣＴＤ４００Ｃに基づいて生成された図２８のコンテンツ詳細画像ＭＧ６００Ａが表示されているとする。
【０３１５】
また、映像表示装置６００の記憶部６２０には、図１８のコンテンツ関連データＣＴＤ４００が記憶されているとする。また、通信端末装置５００および映像表示装置６００では、現在の日時を管理するための日時管理処理が行なわれる。日時管理処理は、他の処理とは独立して行なわれる処理である。
【０３１６】
図２９は、コンテンツ再生処理Ｔ、コンテンツ再生処理Ｍおよびコンテンツ再生処理Ｓのフローチャートである。図２９を参照して、コンテンツ再生処理Ｍでは、まず、ステップＳ３１１の処理が行なわれる。
【０３１７】
ステップＳ３１１では、制御部５１０が、再生操作Ｍがあるか否かを判定する。再生操作Ｍは、ボタン画像ＭＢＧ６８０Ａを押下処理するためのインタフェース操作Ｍである。ステップＳ３１１において、ＹＥＳならば、ステップＳ３１２に進む。一方、ステップＳ３１１において、ＮＯならば、再度、ステップＳ３１１の処理が行なわれる。以下においては、再生操作Ｍにより再生対象となったコンテンツを再生対象コンテンツともいう。ここでは、再生対象コンテンツは、コンテンツ関連データＣＴＤ４００Ｃに示されるコンテンツＩＤにより特定される高解像度コンテンツであるとする。ここでは、再生操作Ｍがあったとして、ステップＳ３１２に進む。
【０３１８】
ステップＳ３１２では、再生対象コンテンツが、ダウンロード予約済であるか否かが判定される。具体的には、制御部５１０が、再生対象コンテンツに対応するコンテンツ関連データに、ＤＬ予約パスワードの情報があるか否かを判定する。ステップＳ３１２において、ＹＥＳならば、ステップＳ３１３に進む。一方、ステップＳ３１２において、ＮＯならば、後述するステップＳ３２８に進む、ここで、再生対象コンテンツに対応するコンテンツ関連データは、図２５のコンテンツ関連データＣＴＤ４００Ｃであるとして、ステップＳ３１３に進む。
【０３１９】
ステップＳ３１３では、利用可能日の条件を満たすか否かが判定される。具体的には、制御部５１０が、現在の日時が、再生対象コンテンツに対応するコンテンツ関連データに示される利用可能日の条件を満たす日時であるか否かを判定する。ステップＳ３１３において、ＹＥＳならば、ステップＳ３１４に進む。一方、ステップＳ３１３において、ＮＯならば、後述するステップＳ３２８に進む。
【０３２０】
ここで、再生対象コンテンツに対応するコンテンツ関連データは、コンテンツ関連データＣＴＤ４００Ｃであるとする。また、現在の日時は、“２００７年５月２日１７時３０分”であるとする。この場合、現在の日時“２００７年５月２日１７時３０分”は、予約受付日時“２００７年４月１日１４時３０分”から、７日経過した日時であり、利用可能日の条件を満たす日時であるので、ステップＳ３１４に進む。
【０３２１】
ステップＳ３１４では、再生対象コンテンツのダウンロードが完了しているか否かが判定される。具体的には、再生対象コンテンツに対応するコンテンツ関連データに、ＤＬ済パスワードの情報があるか否かを判定する。ステップＳ３１４において、ＹＥＳならば、ステップＳ３１５に進む。一方、ステップＳ３１４において、ＮＯならば、後述するステップＳ３２８に進む。ここで、再生対象コンテンツに対応するコンテンツ関連データは、コンテンツ関連データＣＴＤ４００Ｃであるとして、ステップＳ３１５に進む。
【０３２２】
ステップＳ３１５では、日時情報取得処理Ｍが行なわれる。日時情報取得処理Ｍでは、制御部５１０が、日時情報要求指示Ｍを、サービスサーバ８００Ａへ送信する。日時情報要求指示Ｍは、サービスサーバ８００Ａに、位置対応ＮＴＰ日時情報を要求するための指示である。日時情報要求指示Ｍには、図１３のサービス利用必要データＴＤ１１０に示される、映像表示装置６００の位置情報（経度：東経１３５度４０分および緯度：北緯３４度２５分）が含まれる。
【０３２３】
コンテンツ再生処理Ｓでは、まず、ステップＳ３８１の処理が行なわれる。
ステップＳ３８１では、制御部８１０が、日時情報要求指示Ｍを受信したか否かを判定する。ステップＳ３８１において、ＹＥＳならば、ステップＳ３８２に進む。一方、ステップＳ３８１において、ＮＯならば、再度、ステップＳ３８１の処理が行なわれる。ここでは、映像表示装置６００の位置情報（経度：東経１３５度４０分および緯度：北緯３４度２５分）が含まれる日時情報要求指示Ｍを受信したとして、ステップＳ３８２に進む。
【０３２４】
ステップＳ３８２では、制御部８１０が、位置対応ＮＴＰ日時情報を、通信端末装置５００へ送信する。ここで、送信される位置対応ＮＴＰ日時情報は、受信した日時情報要求指示Ｍに含まれる映像表示装置６００の位置情報（経度：東経１３５度４０分および緯度：北緯３４度２５分）に対応する日時情報である。送信される位置対応ＮＴＰ日時情報が示す日時は、一例として、“２００７年５月２日１７時３０分３０秒”であるとする。
【０３２５】
コンテンツ再生処理ＭのステップＳ３１５の日時情報取得処理Ｍでは、制御部５１０が、位置対応ＮＴＰ日時情報を受信し、受信した位置対応ＮＴＰ日時情報を記憶部５２０に記憶させる。ここで、記憶部５２０に記憶される位置対応ＮＴＰ日時情報が示す日時は、“２００７年５月２日１７時３０分３０秒”であるとする。そして、ステップＳ３１６に進む。
【０３２６】
ステップＳ３１６では、制御部５１０が、位置対応ＮＴＰ日時情報が示す日時が、再生対象コンテンツに対応するコンテンツ関連データに示される再生許可日時以降であるか否かを判定する。ステップＳ３１６において、ＹＥＳならば、ステップＳ３１７に進む。一方、ステップＳ３１６において、ＮＯならば、後述するステップＳ３２８に進む。
【０３２７】
ここで、再生対象コンテンツに対応するコンテンツ関連データは、コンテンツ関連データＣＴＤ４００Ｃであるとする。また、位置対応ＮＴＰ日時情報が示す日時は、“２００７年５月２日１７時３０分３０秒”であるとする。この場合、位置対応ＮＴＰ日時情報が示す日時“２００７年５月２日１７時３０分３０秒”は、再生許可日時“２００７年５月１日０時０分”以降であるので、ステップＳ３１７に進む。
【０３２８】
ステップＳ３１７では、制御部５１０が、位置対応ＮＴＰ日時情報が示す日時が、再生対象コンテンツに対応するコンテンツ関連データに示される再生許可時間帯内であるか否かを判定する。ステップＳ３１７において、ＹＥＳならば、ステップＳ３２０に進む。一方、ステップＳ３１７において、ＮＯならば、後述するステップＳ３２８に進む。
【０３２９】
ここで、再生対象コンテンツに対応するコンテンツ関連データは、コンテンツ関連データＣＴＤ４００Ｃであるとする。また、位置対応ＮＴＰ日時情報が示す日時は、“２００７年５月２日１７時３０分３０秒”であるとする。この場合、位置対応ＮＴＰ日時情報が示す日時 “２００７年５月２日１７時３０分３０秒”は、再生許可時間帯“８時００分〜２２時００分”内であるので、ステップＳ３２０に進む。
【０３３０】
ここで、再生許可時間帯とは、コンテンツ作成者、コンテンツ配信業者などが指定している時間帯である。再生許可時間帯は、例えば、「子供向けコンテンツ」、「成人向けコンテンツ」のように視聴する時間帯を決めるものである。また、再生許可時間帯は、例えば、テレフォンショッピング連携番組で、電話窓口が対応可能な時間により時間帯が定められたりすることがある。
【０３３１】
ステップＳ３２０では、購入処理Ｍが行なわれる。購入処理Ｍでは、制御部５１０が、サービスサーバ８００Ａに対し、再生対象コンテンツを購入するための決済処理を行なう。決済処理は、通信端末装置５００およびサービスサーバ８００Ａで行われる。決済処理は、たとえば、電子マネーを利用した決済である。なお、サービスサーバ８００Ａで行なわれる決済処理は、他の処理とは独立して行なわれる処理である。
【０３３２】
ここで、購入されたコンテンツは、コンテンツＩＤが、“ＨＤ−ＣＴ０１２３”のコンテンツであるとする。決済処理が終了すると、制御部５１０が、ＶＤＰ５３２を利用して、表示部５３０に、再生対象コンテンツのコンテンツを購入した旨のメッセージを所定時間（たとえば、２０秒）表示し、ステップＳ３２２に進む。なお、再生対象コンテンツが無料である場合は、前述の決済処理が行なわれることなく、ステップＳ３２２に進む。
【０３３３】
ステップＳ３２２では、再生指示データ生成処理Ｍが行なわれる。再生指示データ生成処理Ｍは、再生指示データを生成するための処理である。再生指示データは、映像表示装置６００に対し、再生対象コンテンツを再生させるための指示を行なうためのデータである。すなわち、再生指示データは、再生対象コンテンツを再生させるための再生情報でもある。
【０３３４】
再生指示データ生成処理Ｍでは、制御部５１０が、受信した位置対応ＮＴＰ日時情報が示す日時“２００７年５月２日１７時３０分３０秒”と、図２５のコンテンツ関連データＣＴＤ４００Ｃに示される、コンテンツＩＤ“ＨＤ−ＣＴ０１２３”、ＤＬ予約パスワード“ＤＬＲａｂｃ”、ＤＬ済パスワード“ＤＬＦａｂｃ”および再生許可日時“２００７年５月１日０時０分”とに基づいて、以下の再生指示データＰＬＤ６００を生成する。そして、ステップＳ３２２の処理は終了する。
【０３３５】
図３０は、一例としての再生指示データＰＬＤ６００を示す図である。
再び、図２９を参照して、コンテンツ再生処理Ｍでは、ステップＳ３２２の処理の後、ステップＳ３２３に進む。
【０３３６】
ステップＳ３２３では、制御部５１０が、生成した再生指示データＰＬＤ６００を、映像表示装置６００へ送信する。そして、ステップＳ３２４に進む。
【０３３７】
ステップＳ３２４では、制御部５１０が、通信端末装置５００をリモコンモードに設定する。そして、このコンテンツ再生処理Ｍは終了する。
【０３３８】
コンテンツ再生処理Ｔでは、まず、ステップＳ３４１の処理が行なわれる。ここで、リモコンモードとは、通信端末装置５００が、通信端末装置５００の操作により、映像表示装置６００をコントロールすることが可能な状態（リモコン状態）になることを意味する。
【０３３９】
ステップＳ３４１では、制御部６１０が、再生指示データを受信したか否かを判定する。ステップＳ３４１において、ＹＥＳならば、ステップＳ３４２に進む。一方、ステップＳ３４１において、ＮＯならば、再度、ステップＳ３４１の処理が行なわれる。ここでは、再生指示データＰＬＤ６００を受信したとして、ステップＳ３４２に進む。
【０３４０】
ステップＳ３４２では、制御部６１０が、受信した再生指示データに示される位置対応ＮＴＰ日時情報が示す日時が、再生指示データに示される再生許可日時以降であるか否かを判定する。ステップＳ３４２において、ＹＥＳならば、ステップＳ３４３に進む。一方、ステップＳ３４２において、ＮＯならば、後述するステップＳ３４８に進む。
【０３４１】
ここでは、受信した再生指示データは、再生指示データＰＬＤ６００であるとする。この場合、位置対応ＮＴＰ日時情報が示す日時“２００７年５月２日１７時３０分３０秒”は、再生許可日時“２００７年５月１日０時０分”以降である。したがって、ステップＳ３４２において、ＹＥＳと判定され、ステップＳ３４３に進む。
【０３４２】
以上のように、位置対応ＮＴＰ日時情報を利用して、ステップＳ３４２のような判定処理を行なうことにより、映像表示装置６００が管理している日時を、不正に変更して、再生対象コンテンツを再生させるといった不正行為を防ぐことができる。また、映像表示装置６００を、時差のある他の国へもって、再生させるといった不正行為も防ぐことができる。
【０３４３】
ここで、再生対象コンテンツが、たとえば、日本およびアメリカ合衆国の各々の午前１０時に、再生（上映）が許可された映画であるとする。この場合、前述したように、位置対応ＮＴＰ日時情報を利用して、判定処理を行なうことにより、映像表示装置６００が、日本およびアメリカ合衆国のいずれにあっても、午前１０時まで、再生対象コンテンツが不正に再生されるのを防ぐことができる。
【０３４４】
ステップＳ３４３では、再生情報が一致するか否かが判定される。ここで、再生情報とは、再生対象コンテンツを再生するために必要な情報である。再生情報は、受信した再生指示データに示されるコンテンツＩＤを示すコンテンツ関連データが示す、ＤＬ予約パスワード、ＤＬ済パスワードおよび再生許可日時を含む情報である。
【０３４５】
具体的には、制御部６１０が、再生情報に含まれる、ＤＬ予約パスワード、ＤＬ済パスワードおよび再生許可日時と、受信した再生指示データに含まれる、ＤＬ予約パスワード、ＤＬ済パスワードおよび再生許可日時とが、それぞれ、一致するか否かを判定する。ステップＳ３４３において、ＹＥＳならば、ステップＳ３４４に進む。一方、ステップＳ３４３において、ＮＯならば、後述するステップＳ３４８に進む。
【０３４６】
ここで、受信した再生指示データは、再生指示データＰＬＤ６００である。したがって、再生指示データＰＬＤ６００に示されるコンテンツＩＤ“ＨＤ−ＣＴ０１２３”を示すコンテンツ関連データは、記憶部６２０に記憶されている図１８のコンテンツ関連データＣＴＤ４００である。
【０３４７】
この場合、再生情報は、ＤＬ予約パスワード“ＤＬＲａｂｃ”、ＤＬ済パスワード“ＤＬＦａｂｃ”および再生許可日時“２００７年５月１日０時０分”を含む。したがって、再生情報に含まれる、ＤＬ予約パスワード“ＤＬＲａｂｃ”、ＤＬ済パスワード“ＤＬＦａｂｃ”および再生許可日時“２００７年５月１日０時０分”は、受信した再生指示データＰＬＤ６００に含まれる、ＤＬ予約パスワード、ＤＬ済パスワードおよび再生許可日時と、それぞれ、一致する。したがって、ステップＳ３４３において、ＹＥＳと判定され、ステップＳ３４４に進む。
【０３４８】
ステップＳ３４４では、再生処理Ｔが行なわれる。再生処理Ｔでは、制御部６１０が、コンテンツＩＤ“ＨＤ−ＣＴ０１２３”により特定される再生対象コンテンツを再生し、再生している再生対象コンテンツの画像を、表示部６３０に表示させる。
【０３４９】
なお、再生対象コンテンツの再生中に、制御部６１０が、リモコンモードの通信端末装置５００から、再生対象コンテンツの再生を制御するためのリモコン信号を受信した場合、制御部６１０は、受信したリモコン信号に応じて、再生対象コンテンツの再生を制御する。
【０３５０】
たとえば、制御部６１０が、通信端末装置５００から、再生対象コンテンツを一時停止させるためのリモコン信号を受信した場合、再生中の再生対象コンテンツを一時停止させる。なお、制御部６１０は、図１８のコンテンツ関連データＣＴＤ４００に示される禁止再生再生制御（スロー再生）を行なうためのリモコン信号を受信した場合、表示部６３０に、指示された再生制御は禁止されている旨のメッセージを表示させる。
【０３５１】
再生対象コンテンツの再生が終了すると、ステップＳ３４４の処理は終了し、このコンテンツ再生処理Ｔは終了する。
【０３５２】
コンテンツ再生処理Ｍにおいて、ステップＳ３２８では、エラー処理Ｍが行なわれる。エラー処理Ｍでは、制御部５１０が、ＶＤＰ５３２を利用して、表示部５３０にエラーメッセージを表示する。エラーメッセージは、たとえば、「再生指示されたコンテンツは再生できません。」というメッセージである。そして、このコンテンツ再生処理Ｍは終了する。
【０３５３】
また、コンテンツ再生処理Ｔにおいて、ステップＳ３４８では、エラー処理Ｔが行なわれる。エラー処理Ｔでは、制御部６１０が、ＶＤＰ６３２を利用して、表示部６３０にエラーメッセージを表示する。エラーメッセージは、たとえば、「再生指示されたコンテンツは再生できません。」というメッセージである。そして、このコンテンツ再生処理Ｔは終了する。
【０３５４】
以上説明したように、本実施の形態では、再生対象コンテンツに設定された再生許可日時より前に、再生対象コンテンツのダウンロード予約を行なう。そして、ダウンロード予約された再生対象コンテンツは、設定された再生許可日時より前に、映像表示装置６００の記憶部６２０に記憶される。
【０３５５】
再生対象コンテンツの再生には、現在の日時が、再生対象コンテンツに設定された再生許可時間帯内であることが条件となる。したがって、再生対象コンテンツが、たとえば、朝、視聴するのに適した番組である場合、再生許可時間帯を、７時〜１０時に設定することで、再生対象コンテンツを再生するのに適した時間帯のみ、再生を許可するといったことが可能となる。
【０３５６】
また、再生対象コンテンツを再生させるには、再生対象コンテンツの購入処理を行なった通信端末装置５００が生成した再生指示データが必要である。そのため、再生対象コンテンツが不正に再生されることを防ぐことができる。
【０３５７】
また、前述したように、再生対象コンテンツは、設定された再生許可日時より前に、映像表示装置６００の記憶部６２０に記憶される。再生対象コンテンツは、再生許可日時以降になると、再生可能となる。
【０３５８】
したがって、再生対象コンテンツのデータ容量が大きい場合でも、再生許可日時以降に、迅速に再生することができる。すなわち、日時の条件が設けられたコンテンツを、迅速に再生することができるという効果を奏する。例えば、ＡＤＳＬ回線のように、ＦＴＴＨ（Fiber To The Home）に比べ低帯域の通信環境でも、高解像度コンテンツを利用することが可能になる。
【０３５９】
また、本実施の形態では、サービスサーバ８００Ａから受信した位置対応ＮＴＰ日時情報が示す日時が、再生対象コンテンツに対応する再生許可日時以降である場合に、通信端末装置５００が、再生対象コンテンツを再生させるための再生指示データを生成する。そして、通信端末装置５００は、再生指示データを、映像表示装置６００へ送信する。映像表示装置６００では、再生指示データを受信することにより、再生対象コンテンツを再生する。
【０３６０】
したがって、容易に、日時の条件が設けられたコンテンツを再生することができるという効果を奏する。
【０３６１】
＜第１の実施の形態の変形例１＞
（コンテンツの再生の他の例１）
次に、図２９のコンテンツ再生処理Ｍにおいて、ステップＳ３１５の日時情報取得処理Ｍが行なわれる順序が異なる場合の処理（以下、コンテンツ再生処理ＭＮともいう）について説明する。
【０３６２】
図３１は、コンテンツ再生処理Ｔ、コンテンツ再生処理ＭＮおよびコンテンツ再生処理Ｓのフローチャートである。図３１のコンテンツ再生処理Ｔおよびコンテンツ再生処理Ｓは、それぞれ、図２９のコンテンツ再生処理Ｔおよびコンテンツ再生処理Ｓと同様なので詳細な説明は繰り返さない。
【０３６３】
コンテンツ再生処理ＭＮにおいて、図２９のコンテンツ再生処理Ｍと同じステップ番号の処理は、図２９で説明した処理と同様な処理が行なわれるので詳細な説明は繰り返さない。以下においては、図２９の処理と異なる処理を主に説明する。
【０３６４】
ステップＳ３１４において、ＹＥＳと判定されると、ステップＳ３１６Ｎに進む。
ステップＳ３１６Ｎでは、制御部５１０が、現在の日時が、再生対象コンテンツに対応するコンテンツ関連データに示される再生許可日時以降であるか否かを判定する。ステップＳ３１６Ｎにおいて、ＹＥＳならば、ステップＳ３１７Ｎに進む。一方、ステップＳ３１６Ｎにおいて、ＮＯならば、ステップＳ３２８に進む。
【０３６５】
ここで、再生対象コンテンツに対応するコンテンツ関連データは、コンテンツ関連データＣＴＤ４００Ｃであるとする。また、現在の日時は、“２００７年５月２日１７時３０分”であるとする。この場合、現在の日時“２００７年５月２日１７時３０分”は、再生許可日時“２００７年５月１日０時０分”以降であるので、ステップＳ３１７Ｎに進む。
【０３６６】
ステップＳ３１７Ｎでは、制御部５１０が、現在の日時が、再生対象コンテンツに対応するコンテンツ関連データに示される再生許可時間帯内であるか否かを判定する。ステップＳ３１７Ｎにおいて、ＹＥＳならば、ステップＳ３２０に進む。一方、ステップＳ３１７Ｎにおいて、ＮＯならば、ステップＳ３２８に進む。
【０３６７】
ここで、再生対象コンテンツに対応するコンテンツ関連データは、コンテンツ関連データＣＴＤ４００Ｃであるとする。また、現在の日時は、“２００７年５月２日１７時３０分”であるとする。この場合、現在の日時“２００７年５月２日１７時３０分”は、再生許可時間帯“８時００分〜２２時００分”内であるので、ステップＳ３２０に進む。
【０３６８】
ステップＳ３２０では、第１の実施の形態で説明したのと同様な処理が行なわれるので詳細な説明は繰り返さない。そして、ステップＳ３２１Ｎに進む。
【０３６９】
ステップＳ３２１Ｎでは、図２９のステップＳ３１５の日時情報取得処理Ｍと同様な処理が行なわれるので詳細な説明は繰り返さない。この処理により、コンテンツ再生処理Ｓにおいて、ステップＳ３８１、Ｓ３８２の処理が行なわれる。したがって、映像表示装置６００から、通信端末装置５００へ位置対応ＮＴＰ日時情報が送信される。
【０３７０】
そして、制御部５１０は、位置対応ＮＴＰ日時情報を受信し、受信した位置対応ＮＴＰ日時情報を記憶部５２０に記憶させる。そして、第１の実施の形態と同様、ステップＳ３２２以降の処理が行なわれる。
【０３７１】
ステップＳ３２２以降の処理は、第１の実施の形態で説明したのと同様なので詳細な説明は繰り返さない。ステップＳ３２２以降の処理により、再生対象コンテンツを再生するための再生指示データが生成され、映像表示装置６００に送信される。映像表示装置６００では、再生指示データを受信することにより、再生対象コンテンツを再生する。
【０３７２】
以上説明したように、本実施の形態では、現在の日時が、再生対象コンテンツに対応する再生許可日時以降である場合に、通信端末装置５００が、サービスサーバ８００Ａから受信した位置対応ＮＴＰ日時情報を利用して、再生対象コンテンツを再生させるための再生指示データを生成する。そして、通信端末装置５００は、再生指示データを、映像表示装置６００へ送信する。映像表示装置６００では、再生指示データを受信することにより、再生対象コンテンツを再生する。
【０３７３】
したがって、容易に、日時の条件が設けられたコンテンツを再生することができるという効果を奏する。
【０３７４】
すなわち、日時情報取得処理Ｍが行なわれる順序が、図２９と異なっている場合においても、第１の実施の形態と同様な効果を得ることができる。
【０３７５】
＜第１の実施の形態の変形例２＞
（コンテンツの再生の他の例２）
次に、通信端末装置５００の位置に応じて、再生対象コンテンツの再生を行なうための処理（以下、コンテンツ再生処理Ａともいう）について説明する。
【０３７６】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０３７７】
以下においては、コンテンツ再生処理Ａにおいて、通信端末装置５００が行なう処理を、コンテンツ再生処理ＭＡともいう。また、コンテンツ再生処理Ａにおいて、映像表示装置６００が行なう処理を、コンテンツ再生処理ＴＡともいう。また、コンテンツ再生処理において、サービスサーバ８００Ａが行なう処理を、コンテンツ再生処理ＳＡともいう。なお、コンテンツ再生処理ＳＡは、サービスサーバ８００Ａではなく、前述した、ＮＴＰ日時情報管理機能および位置対応ＮＴＰ日時情報管理機能を有する他の装置が行なってもよい。
【０３７８】
ここで、前述した、図９の初期設定処理Ｔ、図１９のコンテンツ予約処理Ｔ、コンテンツ予約処理Ｍおよびコンテンツ予約処理Ｓが行なわれることにより、通信端末装置５００の記憶部５２０には、図１３のサービス利用必要データＴＤ１１０と、図２５のコンテンツ関連データＣＴＤ４００Ｃとが記憶されているとする。また、映像表示装置６００の記憶部６２０には、図１８のコンテンツ関連データＣＴＤ４００が記憶されているとする。
【０３７９】
図３２は、コンテンツ再生処理ＴＡ、コンテンツ再生処理ＭＡおよびコンテンツ再生処理ＳＡのフローチャートである。なお、図３２において、図２９と同じステップ番号の処理は、図２９で説明した処理と同様な処理が行なわれるので詳細な説明は繰り返さない。以下においては、図２９の処理と異なる処理を主に説明する。
【０３８０】
図３２を参照して、コンテンツ再生処理ＭＡは、図２９のコンテンツ再生処理Ｍと比較して、ステップＳ３１４Ａ、Ｓ３１４Ｂが行なわれる点が異なる。それ以外は、コンテンツ再生処理Ｍと同様なので詳細な説明は繰り返さない。なお、コンテンツ再生処理ＴＡおよびコンテンツ再生処理ＳＡは、それぞれ、図２９のコンテンツ再生処理Ｔおよびコンテンツ再生処理Ｓと同じなので詳細な説明は繰り返さない。
【０３８１】
ステップＳ３１４において、ＹＥＳと判定されると、ステップＳ３１４Ａに進む。
ステップＳ３１４Ａでは、位置情報取得処理ＭＡが行なわれる。位置情報取得処理ＭＡでは、制御部５１０が、通信部５６６から、前述したＧＰＳ位置情報を取得する。ここで、取得されたＧＰＳ位置情報は、通信端末装置５００の経度および緯度を示す。
【０３８２】
ＧＰＳ位置情報により示される経度および緯度は、一例として、それぞれ、Ｘ’およびＹ’であるとする。ここで、経度Ｘ’は、図１３のサービス利用必要データＴＤ１１０に示される、映像表示装置６００の設置位置を示す経度が東経１３５度４０分の位置から、所定距離（たとえば、２メートル）以下の位置を示す値であるとする。また、緯度Ｙ’は、図１３のサービス利用必要データＴＤ１１０に示される、映像表示装置６００の設置位置を示す緯度が北緯３４度２５分の位置から、所定距離（たとえば、２メートル）以下の位置を示す値であるとする。
【０３８３】
すなわち、ＧＰＳ位置情報により示される経度Ｘ’および緯度Ｙ’は、映像表示装置６００の設置位置から、所定範囲（たとえば、半径２メートル）内の位置を示す値であるとする。すなわち、経度Ｘ’および緯度Ｙ’により示される通信端末装置５００の位置は、映像表示装置６００の設置位置から、所定範囲（たとえば、半径２メートル）内の位置を示す値であるとする。そして、制御部５１０は、取得したＧＰＳ位置情報に基づく位置データを、記憶部５２０に記憶させる。そして、ステップＳ３１４Ｂに進む。
【０３８４】
ステップＳ３１４Ｂでは、通信端末装置５００の位置が、映像表示装置６００の設置位置から所定範囲内の位置であるか否かが判定される。具体的には、制御部５１０が、経度Ｘ’が、図１３のサービス利用必要データＴＤ１１０に示される、経度の位置から、所定距離（たとえば、２メートル）以下の位置を示す値であり、かつ、緯度Ｙ’が、サービス利用必要データＴＤ１１０に示される、緯度の位置から、所定距離（たとえば、２メートル）以下の位置を示す値であるか否かを判定する。ステップＳ３１４Ｂにおいて、ＹＥＳならば、ステップＳ３１５に進む。一方、ステップＳ３１４Ｂにおいて、ＮＯならば、前述した、ステップＳ３２８に進む。
【０３８５】
ここでは、経度Ｘ’が、サービス利用必要データＴＤ１１０に示される、経度の位置から、所定距離（たとえば、２メートル）以下の位置を示す値であり、かつ、緯度Ｙ’が、サービス利用必要データＴＤ１１０に示される、緯度の位置から、所定距離（たとえば、２メートル）以下の位置を示す値であるとする。すなわち、通信端末装置５００の位置は、映像表示装置６００の設置位置から、所定範囲（たとえば、半径２メートル）内の位置であるとする。この場合、ステップＳ３１５に進む。
【０３８６】
ステップＳ３１５以降の処理は、第１の実施の形態で説明したのと同様なので詳細な説明は繰り返さない。ステップＳ３１５以降の処理により、再生対象コンテンツを再生するための再生指示データが生成され、映像表示装置６００に送信される。映像表示装置６００では、再生指示データを受信することにより、再生対象コンテンツを再生する。
【０３８７】
以上説明したように、本実施の形態では、通信端末装置５００の位置が、映像表示装置６００の設置位置から、所定範囲（たとえば、半径２メートル）内の位置にある場合、すなわち、通信端末装置５００の位置が、映像表示装置６００の設置位置の近傍にある場合にのみ、映像表示装置６００において、再生対象コンテンツを再生することが可能となる。すなわち、通信端末装置５００の位置が、映像表示装置６００の設置位置の近傍にない場合、再生対象コンテンツの不正再生を防ぐことができる。
【０３８８】
したがって、コンテンツの不正再生を防ぎつつ、容易に、コンテンツを再生することができるという効果を奏する。
【０３８９】
なお、図３２のステップＳ３１５の日時情報取得処理Ｍは、図３１の処理と同様に、ステップＳ３２０と、ステップＳ３２２との間で行なわれてもよい。この場合も、本実施の形態と同様な効果を得ることができる。
【０３９０】
＜第２の実施の形態＞
次に、通信端末装置５００（以下、通信端末装置Ａともいう）の位置から、遠く離れた位置にある映像表示装置６００（以下、映像表示装置Ａともいう）に再生対象のコンテンツ（以下、再生対象コンテンツともいう）が記憶されている場合に、映像表示装置Ａとは別の装置であって、通信端末装置Ａの近傍の映像表示装置６００（以下、映像表示装置Ｂともいう）において、再生対象コンテンツを再生させるための処理（以下、コンテンツ再生処理Ｒともいう）について説明する。
【０３９１】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０３９２】
ここで、図１を参照して、映像表示装置Ａは、ホームネットワーク５０１．１に含まれる映像表示装置６００であるとする。また、映像表示装置Ｂは、ホームネットワーク５０１．２に含まれる映像表示装置６００であるとする。
【０３９３】
次に、通信端末装置Ａが、ホームネットワーク５０１．１内に存在する状態において、前述した、図９の初期設定処理Ｔ、図１９のコンテンツ予約処理Ｔ、コンテンツ予約処理Ｍおよびコンテンツ予約処理Ｓが、通信端末装置Ａ、映像表示装置Ａおよびサービスサーバ８００Ａにより行なわれたとする。
【０３９４】
これにより、通信端末装置Ａの記憶部５２０に、図１３のサービス利用必要データＴＤ１１０と、図１６のサービス享受データＳＤ３００と、図２５のコンテンツ関連データＣＴＤ４００Ｃとが記憶されたとする。また、映像表示装置Ａの記憶部６２０には、図１８のコンテンツ関連データＣＴＤ４００と、コンテンツ関連データＣＴＤ４００に示されるコンテンツＩＤにより特定されるコンテンツが記憶されたとする。ここで、記憶部６２０に記憶された、コンテンツ関連データＣＴＤ４００に示されるコンテンツＩＤにより特定されるコンテンツが、再生対象コンテンツである。
【０３９５】
そして、通信端末装置Ａのユーザが、通信端末装置Ａを、ホームネットワーク５０１．１（たとえば、自宅のネットワーク）内から、ホームネットワーク５０１．２（たとえば、他人の家のネットワーク）内に持ってきたとする。この場合、通信端末装置Ａは、ホームネットワーク５０１．２に含まれる通信端末装置５００となる。すなわち、通信端末装置Ａは、映像表示装置Ｂの近傍にあることになる。
【０３９６】
以下においては、コンテンツ再生処理Ｒにおいて、通信端末装置Ａが行なう処理を、コンテンツ再生処理ＭＲＡともいう。また、コンテンツ再生処理Ｒにおいて、映像表示装置Ｂが行なう処理を、コンテンツ再生処理ＴＲＢともいう。また、また、コンテンツ再生処理Ｒにおいて、映像表示装置Ａが行なう処理を、コンテンツ再生処理ＴＲＡともいう。
【０３９７】
また、通信端末装置Ａでは、制御部５１０が、コンテンツ管理プログラムを実行し、表示部５３０に、コンテンツ関連データＣＴＤ４００Ｃに基づいて生成された図２８のコンテンツ詳細画像ＭＧ６００Ａが表示されているとする。
【０３９８】
図３３は、コンテンツ再生処理ＭＲＡ、コンテンツ再生処理ＴＲＢおよびコンテンツ再生処理ＴＲＡのフローチャートである。図３３を参照して、コンテンツ再生処理ＭＲＡでは、まず、ステップＳ４１１の処理が行なわれる。
【０３９９】
ステップＳ４１１では、制御部５１０が、再生操作Ｍがあるか否かを判定する。再生操作Ｍは、ボタン画像ＭＢＧ６８０Ａを押下処理するためのインタフェース操作Ｍである。ステップＳ４１１において、ＹＥＳならば、ステップＳ４１２に進む。一方、ステップＳ４１１において、ＮＯならば、再度、ステップＳ４１１の処理が行なわれる。
【０４００】
ここで、再生操作Ｍにより再生対象となったコンテンツは、再生対象コンテンツである。ここで、再生対象コンテンツは、コンテンツ関連データＣＴＤ４００Ｃに示されるコンテンツＩＤにより特定される高解像度コンテンツであるとする。再生対象コンテンツは、前述したように、映像表示装置Ａの記憶部６２０に記憶されているとする。ここでは、再生操作Ｍがあったとして、ステップＳ４１２に進む。
【０４０１】
ステップＳ４１２では、位置情報取得処理ＭＲが行なわれる。位置情報取得処理ＭＲでは、制御部５１０が、通信部５６６から、前述したＧＰＳ位置情報を取得する。ここで、取得されたＧＰＳ位置情報は、通信端末装置Ａの経度および緯度を示す。
【０４０２】
ＧＰＳ位置情報により示される経度および緯度は、一例として、それぞれ、Ｘ１’およびＹ１’であるとする。ここで、経度Ｘ１’は、図１３のサービス利用必要データＴＤ１１０に示される、映像表示装置Ａの設置位置を示す経度が東経１３５度４０分の位置から、所定距離（たとえば、２０メートル）以上の位置を示す値であるとする。また、緯度Ｙ１’は、図１３のサービス利用必要データＴＤ１１０に示される、映像表示装置Ａの設置位置を示す緯度が北緯３４度２５分の位置から、所定距離（たとえば、２０メートル）以上の位置を示す値であるとする。そして、ステップＳ４１３に進む。
【０４０３】
ステップＳ４１３では、通信端末装置Ａの位置が、ホームネットワーク５０１．１に含まれる映像表示装置Ａの設置位置から所定範囲外の位置であるか否かが判定される。すなわち、通信端末装置Ａの位置が、ホームネットワーク５０１．１の外部の位置（たとえば、宅外）であるか否かが判定される。
【０４０４】
具体的には、制御部５１０が、経度Ｘ１’が、図１３のサービス利用必要データＴＤ１１０に示される、経度の位置から、所定距離（たとえば、２０メートル）以上の位置を示す値であり、かつ、緯度Ｙ１’が、サービス利用必要データＴＤ１１０に示される、緯度の位置から、所定距離（たとえば、２０メートル）以上の位置を示す値であるか否かを判定する。ステップＳ４１３において、ＹＥＳならば、ステップＳ４１４に進む。一方、ステップＳ４１３において、ＮＯならば、このコンテンツ再生処理ＭＲＡは終了する。
【０４０５】
ここでは、経度Ｘ１’が、サービス利用必要データＴＤ１１０に示される、経度の位置から、所定距離（たとえば、２０メートル）以上の位置を示す値であり、かつ、緯度Ｙ１’が、サービス利用必要データＴＤ１１０に示される、緯度の位置から、所定距離（たとえば、２０メートル）以上の位置を示す値であるとする。すなわち、通信端末装置Ａの位置は、映像表示装置Ａの設置位置から、所定範囲（たとえば、半径２０メートル）外の位置（たとえば、宅外）であるとする。この場合、ステップＳ４１４に進む。
【０４０６】
ステップＳ４１４では、装置検出処理Ｍが行なわれる。装置検出処理Ｍでは、制御部５１０が、無線通信により、データ通信可能な装置を検出する。ここで、無線通信は、たとえば、Bluetooth（登録商標）を利用した通信である。データ通信可能な装置が検出されると、ステップＳ４１５に進む。
【０４０７】
ここで、データ通信可能な装置として、映像表示装置Ｂが検出されたとする。なお、データ通信可能な装置が検出されない場合、ステップＳ４１４の処理が繰り返される。
【０４０８】
ステップＳ４１５では、再生指示データ生成処理ＭＲが行なわれる。再生指示データ生成処理ＭＲは、再生指示データＲを生成するための処理である。再生指示データＲは、映像表示装置Ｂに対し、再生対象コンテンツを再生させるための指示を行なうためのデータである。
【０４０９】
再生指示データ生成処理ＭＲでは、制御部５１０が、図１３のサービス利用必要データＴＤ１１０と、図１６のサービス享受データＳＤ３００と、図２５のコンテンツ関連データＣＴＤ４００Ｃとに基づいて、再生指示データＲとしての、以下の再生指示データＰＬＤ７００を生成する。そして、ステップＳ４１５の処理は終了する。
【０４１０】
図３４は、一例としての再生指示データＰＬＤ７００を示す図である。図３４を参照して、再生指示データＰＬＤ７００に示される各項目の説明は、図１３のサービス利用必要データＴＤ１１０、図１６のサービス享受データＳＤ３００、および、図２５のコンテンツ関連データＣＴＤ４００Ｃに対しての前述の説明に含まれるので、詳細な説明は繰り返さない。
【０４１１】
再び、図３３を参照して、ステップＳ４１５の処理の後、ステップＳ４１６に進む。
ステップＳ４１６では、制御部５１０が、生成した、再生指示データＲとしての再生指示データＰＬＤ７００を、映像表示装置Ｂへ送信する。そして、ステップＳ４１７に進む。
【０４１２】
ステップＳ４１７では、制御部５１０が、通信端末装置Ａをリモコンモードに設定する。そして、ステップＳ４１７の処理は終了する。
【０４１３】
映像表示装置Ｂが行なうコンテンツ再生処理ＴＲＢでは、まず、ステップＳ４４１の処理が行なわれる。
【０４１４】
ステップＳ４４１では、映像表示装置Ｂの制御部６１０が、再生指示データＲを受信したか否かを判定する。ステップＳ４４１において、ＹＥＳならば、ステップＳ４４２に進む。一方、ステップＳ４４１において、ＮＯならば、再度、ステップＳ４４１の処理が行なわれる。ここでは、再生指示データＲとしての再生指示データＰＬＤ７００を受信したとして、ステップＳ４４２に進む。
【０４１５】
ステップＳ４４２では、要求指示データ生成処理ＴＲが行なわれる。要求指示データ生成処理ＴＲは、受信した再生指示データＰＬＤ７００に示されるコンテンツＩＤにより特定されるコンテンツを、再生指示データＰＬＤ７００に示されるコンテンツ受信装置ＩＤにより特定される装置（映像表示装置Ａ）に要求するためのデータである。
【０４１６】
要求指示データ生成処理ＴＲでは、制御部６１０が、受信した再生指示データＰＬＤ７００と、自装置の情報とに基づいて、以下の要求指示データＲＤ８００を生成する。そして、ステップＳ４４２の処理は終了する。
【０４１７】
図３５は、一例としての要求指示データＲＤ８００を示す図である。図３５を参照して、要求指示データＲＤ８００は、図３４の再生指示データＰＬＤ７００と比較して、「ＩＰアドレス」、「再生可能フォーマット」、「解像度」、「回線速度」の項目が追加されている点が異なる。それ以外は、再生指示データＰＬＤ７００と同様なので詳細な説明は繰り返さない。
【０４１８】
要求指示データＲＤ８００において、「ＩＰアドレス」とは、映像表示装置Ｂに設定されたグローバルＩＰアドレスである。「再生可能フォーマット」とは、映像表示装置Ｂが再生可能な動画像のフォーマットである。「解像度」とは、映像表示装置Ｂの表示部６３０の解像度である。この場合、映像表示装置Ｂの表示部６３０の解像度は、横１０２４（ドット）×縦７６８（ドット）である。「回線速度」とは、映像表示装置Ｂが、ネットワーク７０とデータ通信する場合の最大の速度である。
【０４１９】
再び、図３３を参照して、ステップＳ４４２の処理の後、ステップＳ４４３に進む。
ステップＳ４４３では、制御部６１０が、生成した要求指示データＲＤ８００を、図３４の再生指示データＰＬＤ７００に示されるコンテンツ受信装置ＩＤにより特定される映像表示装置Ａへ送信する。そして、ステップＳ４４３の処理は終了する。
【０４２０】
映像表示装置Ａが行なうコンテンツ再生処理ＴＲＡでは、まず、ステップＳ４６１の処理が行なわれる。
【０４２１】
ステップＳ４６１では、映像表示装置Ａの制御部６１０が、要求指示データを受信したか否かを判定する。ステップＳ４６１において、ＹＥＳならば、ステップＳ４６２に進む。一方、ステップＳ４６１において、ＮＯならば、再度、ステップＳ４６１の処理が行なわれる。ここでは、要求指示データＲＤ８００を受信したとして、ステップＳ４６２に進む。
【０４２２】
ステップＳ４６２では、外部ネットワークから要求指示データを受信したか否かが判定される。具体的には、制御部６１０が、受信した要求指示データＲＤ８００が、映像表示装置Ａが属するホームネットワーク５０１．１とは異なる外部ネットワークから受信したデータであるか否かを判定する。当該判定は、要求指示データＲＤ８００に示されるＩＰアドレスにより行なわれる。ステップＳ４６２において、ＹＥＳならば、ステップＳ４６３に進む。一方、ステップＳ４６２において、ＮＯならば、再度、ステップＳ４６１の処理が行なわれる。
【０４２３】
ここで、要求指示データＲＤ８００に示されるＩＰアドレス“１１１．２２２．１１１．２２２”は、映像表示装置Ａが属するホームネットワーク５０１．１内の装置に割り当てられたＩＰアドレスではないとする。この場合、制御部６１０は、外部ネットワークから要求指示データＲＤ８００を受信したと判定し、ステップＳ４６３に進む。
【０４２４】
ステップＳ４６３では、データ変換処理ＴＡが行なわれる。データ変換処理ＴＡでは、制御部６１０が、再生指示データＰＬＤ７００に示されるコンテンツＩＤにより特定される、記憶部６２０に記憶されているコンテンツ（再生対象コンテンツ）のフォーマットを、要求指示データＲＤ８００に示される再生可能フォーマットであるＨ．２６４形式に変換する。なお、記憶部６２０に記憶されている再生対象コンテンツのフォーマットが、Ｈ．２６４形式である場合は、フォーマットの変換は行なわれない。
【０４２５】
また、Ｈ．２６４形式の変換の際、再生対象コンテンツの解像度が、要求指示データＲＤ８００に示される解像度（横１０２４（ドット）×縦７６８（ドット））以外の解像度である場合、再生対象コンテンツの解像度を、横１０２４（ドット）×縦７６８（ドット）の解像度に変換する処理も同時に行なわれる。
【０４２６】
ここで、記憶部６２０に記憶されている再生対象コンテンツは、ＭＰＥＧ２形式のコンテンツであるとする。また、再生対象コンテンツの解像度は、横１９２０（ドット）×縦１０８０（ドット）であるとする。この場合、制御部６１０は、ＭＰＥＧ２形式の再生対象コンテンツを、Ｈ．２６４形式に変換するとともに、再生対象コンテンツの解像度を、横１０２４（ドット）×縦７６８（ドット）に変換する。以下においては、変換された再生対象コンテンツを、変換済再生対象コンテンツともいう。そして、制御部６１０は、変換済再生対象コンテンツを、記憶部６２０に記憶させる。そして、ステップＳ４６４に進む。
【０４２７】
ステップＳ４６４では、暗号化処理ＴＡが行なわれる。暗号化処理ＴＡでは、制御部６１０が、暗号鍵を用いて、変換済再生対象コンテンツを、暗号化する。ここで、暗号鍵は、たとえば、数字とアルファベットからなる文字列である。以下においては、暗号化された変換済再生対象コンテンツを、暗号化再生対象コンテンツともいう。そして、ステップＳ４６５に進む。
【０４２８】
ステップＳ４６５では、制御部６１０が、暗号化再生対象コンテンツを復号するための復号データを、通信端末装置Ａへ送信する。ここで、送信される復号データは、以下の復号データＣＤ９００であるとする。そして、ステップＳ４６５の処理は終了する。
【０４２９】
図３６は、一例としての復号データＣＤ９００を示す図である。図３６を参照して、復号データＣＤ９００において、「コンテンツＩＤ」とは、暗号化された変換済再生対象コンテンツを特定するためのＩＤである。なお、変換済再生対象コンテンツのコンテンツＩＤは、ステップＳ４６３のデータ変換処理ＴＡにより変換される前の再生対象コンテンツのコンテンツＩＤである。「暗号鍵」とは、変換済再生対象コンテンツを暗号化する際に使用した文字列である。「暗号鍵」は、たとえば、数字とアルファベットからなる文字列である。
【０４３０】
再び、図３３を参照して、再生指示データ生成処理ＭＲでは、ステップＳ４１７の処理の後、ステップＳ４１８に進む。
【０４３１】
ステップＳ４１８では、復号データ受信処理Ｍが行なわれる。復号データ受信処理Ｍでは、制御部５１０が、復号データを受信し、受信した復号データを記憶部５２０に記憶させる。ここで、受信された復号データは、図３６の復号データＣＤ９００であるとする。そして、ステップＳ４１８Ａに進む。なお、復号データを受信しなかった場合は、復号データを受信するまで、ステップＳ４１８の処理が繰り返される。
【０４３２】
ステップＳ４１８Ａでは、受信した復号データが、再生対象コンテンツに対応するデータであるか否かが判定される。具体的には、制御部５１０が、受信した復号データに示されるコンテンツＩＤが、ステップＳ４１６の処理により送信した再生指示データＲに示されるコンテンツＩＤと一致するか否かが判定される。ステップＳ４１８Ａにおいて、ＹＥＳならば、ステップＳ４１９に進む。一方、ステップＳ４１８Ａにおいて、ＮＯならば、再度、ステップＳ４１８の処理が行なわれる。
【０４３３】
ここで、受信した復号データは、図３６の復号データＣＤ９００であるとする。また、ステップＳ４１６の処理により送信された再生指示データＲは、図３４の再生指示データＰＬＤ７００であるとする。この場合、ステップＳ４１８Ａにおいて、ＹＥＳと判定され、ステップＳ４１９に進む。
【０４３４】
ステップＳ４１９では、制御部５１０が、受信した復号データＣＤ９００を、映像表示装置Ｂへ送信する。そして、このコンテンツ再生処理ＭＲＡは終了する。
【０４３５】
映像表示装置Ｂが行なうコンテンツ再生処理ＴＲＢでは、ステップＳ４４３の処理の後、ステップＳ４４４に進む。
【０４３６】
ステップＳ４４４では、復号データ受信処理ＴＢが行なわれる。復号データ受信処理ＴＢでは、制御部６１０が、復号データＣＤ９００を受信し、受信した復号データＣＤ９００を記憶部６２０に記憶させる。記憶部６２０に復号データが記憶されると、ステップＳ４４４の処理は終了する。なお、復号データを受信しなかった場合は、復号データを受信するまで、ステップＳ４４４の処理が繰り返される。
【０４３７】
映像表示装置Ａが行なうコンテンツ再生処理ＴＲＡでは、ステップＳ４６５の処理の後、ステップＳ４６６に進む。
【０４３８】
ステップＳ４６６では、制御部６１０が、暗号化再生対象コンテンツを、受信した要求指示データＲＤ８００に示されるＩＰアドレス“１１１．２２２．１１１．２２２”により特定される映像表示装置Ｂへ送信する。そして、このコンテンツ再生処理ＴＲＡは終了する。
【０４３９】
映像表示装置Ｂが行なうコンテンツ再生処理ＴＲＢでは、ステップＳ４４４の処理の後、ステップＳ４４５に進む。
【０４４０】
ステップＳ４４５では、暗号化コンテンツ受信処理ＴＢが行なわれる。暗号化コンテンツ受信処理ＴＢでは、制御部６１０が、暗号化再生対象コンテンツを受信し、受信した暗号化再生対象コンテンツを記憶部６２０に記憶させる。そして、制御部６１０は、記憶部６２０に記憶された暗号化再生対象コンテンツを、復号データＣＤ９００に示される暗号鍵“ＡＡＢＢ１１”により、復号化する。復号化された暗号化再生対象コンテンツは、前述した変換済再生対象コンテンツとなる。そして、ステップＳ４４６に進む。
【０４４１】
ステップＳ４４６では、再生処理ＴＢが行なわれる。再生処理ＴＢでは、制御部６１０が、変換済再生対象コンテンツを再生し、再生している変換済再生対象コンテンツの画像を、表示部６３０に表示させる。
【０４４２】
なお、変換済再生対象コンテンツの再生中に、制御部６１０が、リモコンモードの通信端末装置Ａから、変換済再生対象コンテンツの再生を制御するためのリモコン信号を受信した場合、制御部６１０は、受信したリモコン信号に応じて、変換済再生対象コンテンツの再生を制御する。
【０４４３】
たとえば、制御部６１０が、通信端末装置Ａから、変換済再生対象コンテンツを一時停止させるためのリモコン信号を受信した場合、再生中の変換済再生対象コンテンツを一時停止させる。変換済再生対象コンテンツの再生が終了すると、ステップＳ４４６の処理は終了し、このコンテンツ再生処理ＴＲＢは終了する。
【０４４４】
以上説明したように、本実施の形態では、通信端末装置Ａの位置から、遠く離れた位置にある映像表示装置Ａに再生対象コンテンツが記憶されている場合、通信端末装置Ａが、再生指示データＲとしての再生指示データＰＬＤ７００を、通信端末装置Ａの近傍の映像表示装置Ｂへ送信する。そして、映像表示装置Ｂは、映像表示装置Ａに対し、再生対象コンテンツの要求を行なう。映像表示装置Ａは、再生対象コンテンツの要求に応じて、再生対象コンテンツを、映像表示装置Ｂで再生可能な形式に変換した変換済再生対象コンテンツとする。また、映像表示装置Ｂでは、暗号鍵により、変換済再生対象コンテンツを暗号化した暗号化再生対象コンテンツとする。
【０４４５】
映像表示装置Ｂは、変換済再生対象コンテンツを暗号化するのに使用した暗号鍵を含む復号データＣＤ９００を、通信端末装置Ａへ送信する。通信端末装置Ａは、受信した復号データＣＤ９００が、再生対象コンテンツに対応するデータであると判定した場合にのみ、復号データＣＤ９００を、映像表示装置Ｂへ送信する。また、映像表示装置Ａは、暗号化再生対象コンテンツを、映像表示装置Ｂへ送信する。そして、映像表示装置Ｂは、受信した復号データＣＤ９００を利用して、暗号化再生対象コンテンツを復号化し、変換済再生対象コンテンツとする。そして、映像表示装置Ｂは、変換済再生対象コンテンツを再生する。
【０４４６】
したがって、通信端末装置Ａの位置から、遠く離れた位置にある映像表示装置Ａに再生対象コンテンツが記憶されている場合であっても、通信端末装置Ａの近傍の映像表示装置Ｂにおいて、再生対象コンテンツを変換した変換済再生対象コンテンツを再生させることができる。
【０４４７】
また、通信端末装置Ａは、受信した復号データＣＤ９００が、再生対象コンテンツに対応するデータであると判定した場合にのみ、復号データＣＤ９００を、映像表示装置Ｂへ送信する。したがって、再生対象コンテンツまたは変換済再生対象コンテンツが、不正に再生されることを防止することができる。
【０４４８】
すなわち、通信端末装置Ａの位置から、遠く離れた位置にある映像表示装置Ａに再生対象コンテンツが記憶されている場合であっても、コンテンツの不正再生を防ぎつつ、通信端末装置Ａの近傍の映像表示装置Ｂにおいて、変換済再生対象コンテンツを再生させることができる。
【０４４９】
（機能ブロック図）
図３７は、第１の実施の形態、および、第１の実施の形態の変形例１〜２における、制御部５１０、制御部６１０および制御部８１０の機能ブロック図である。図３７を参照して、制御部５１０は、第２受信部５１１と、第２送信部５１３とを含む。制御部６１０は、第１受信部６１１と、再生部６１３とを含む。制御部８１０は、第１送信部８１１を含む。
【０４５０】
第１送信部８１１は、コンテンツを、映像表示装置６００へ送信し、かつ、コンテンツの再生が許可される再生許可日時を示す許可日時情報を通信端末装置５００へ送信する。
【０４５１】
第１受信部６１１は、第１送信部８１１から送信されるコンテンツを受信する。受信したコンテンツは、記憶部６２０に記憶される。
【０４５２】
第２受信部５１１は、第１送信部８１１から送信される許可日時情報を受信する。受信した許可日時情報は、記憶部５２０に記憶される。第２送信部５１３は、許可日時情報により示される再生許可日時に基づいて、記憶部６２０に記憶されているコンテンツを再生するための再生指示を、映像表示装置６００へ送信する。
【０４５３】
再生部６１３は、第１受信部６１１が再生指示を受信した場合、受信した再生指示により特定される、記憶部６２０に記憶されているコンテンツを再生する。
【０４５４】
なお、制御部５１０に含まれる、第２受信部５１１および第２送信部５１３の全てまたは一部は、ハードウエアで構成されてもよい。また、制御部６１０に含まれる、第１受信部６１１および再生部６１３の全てまたは一部は、ハードウエアで構成されてもよい。また、制御部８１０に含まれる第１送信部８１１は、ハードウエアで構成されてもよい。
【０４５５】
図３８は、第１の実施の形態、および、第１の実施の形態の変形例１〜２における、他の例としての制御部５１０および制御部８１０の機能ブロック図である。図３８を参照して、制御部５１０は、受信部５１１Ａと、判定部５１３Ａと、生成部５１５Ａとを含む。制御部８１０は、日時情報送信部８１１Ａを含む。
【０４５６】
日時情報送信部８１１Ａは、日時を補正するための日時情報を、通信端末装置５００へ送信する。
【０４５７】
受信部５１１Ａは、日時情報を受信する。判定部５１３Ａは、日時情報により示される日時が、許可日時情報により示される、再生対象コンテンツの再生が許可される再生許可日時以降であるか否かを判定する。生成部５１５Ａは、日時情報により示される日時が、許可日時情報により示される再生許可日時以降であると判定部５１３Ａにより判定された場合、再生対象コンテンツを再生するための再生情報を生成する。
【０４５８】
なお、制御部５１０に含まれる、受信部５１１Ａ、判定部５１３Ａおよび生成部５１５Ａの全てまたは一部は、ハードウエアで構成されてもよい。また、制御部８１０に含まれる、日時情報送信部８１１Ａは、ハードウエアで構成されてもよい。
【０４５９】
図３９は、第１の実施の形態の変形例２における、他の例としての制御部５１０および制御部６１０の機能ブロック図である。図３９を参照して、制御部５１０は、位置情報取得部５１１Ｂと、生成部５１３Ｂと、送信部５１５Ｂとを含む。制御部６１０は、受信部６１１Ｂと、再生部６１３Ｂとを含む。
【０４６０】
位置情報取得部５１１Ｂは、通信端末装置５００の位置を示す端末位置情報を取得する。生成部５１３Ｂは、端末位置情報が示す通信端末装置５００の位置が、予め登録された位置から所定範囲内にある場合、再生対象コンテンツを再生するための再生情報を生成する。送信部５１５Ｂは、再生情報を、映像表示装置６００へ送信する。
【０４６１】
受信部６１１Ｂは、再生情報を受信する。再生部６１３Ｂは、受信した再生情報に基づいて、再生対象コンテンツを再生する。
【０４６２】
なお、制御部５１０に含まれる、位置情報取得部５１１Ｂ、生成部５１３Ｂおよび送信部５１５Ｂの全てまたは一部は、ハードウエアで構成されてもよい。また、制御部６１０に含まれる、受信部６１１Ｂおよび再生部６１３Ｂの全てまたは一部は、ハードウエアで構成されてもよい。
【０４６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４６４】
【図１】本実施の形態におけるネットワークシステムの構成を示す図である。
【図２】通信端末装置の外観を正面から示した図である。
【図３】通信端末装置の外観を背面から示した図である。
【図４】通信端末装置の内部構成を示したブロック図である。
【図５】映像表示装置の内部構成を示したブロック図である。
【図６】サービスサーバの内部構成を示したブロック図である。
【図７】一例としてのリモコン画像を示す図である。
【図８】操作判定処理Ｍおよび制御信号対応処理Ｔのフローチャートである。
【図９】初期設定処理Ｔのフローチャートである。
【図１０】一例としての初期画像を示す図である。
【図１１】一例としてのサービス利用必要データを示す図である。
【図１２】一例としての位置データを示す図である。
【図１３】一例としてのサービス利用必要データを示す図である。
【図１４】一例としてのＷｅｂブラウザ画像を示す図である。
【図１５】一例としてのユーザデータを示す図である。
【図１６】一例としてのサービス享受データを示す図である。
【図１７】一例としてのサービス享受データを示す図である。
【図１８】一例としてのコンテンツ関連データを示す図である。
【図１９】コンテンツ予約処理Ｔ、コンテンツ予約処理Ｍおよびコンテンツ予約処理Ｓのフローチャートである。
【図２０】一例としてのコンテンツ関連データを示す図である。
【図２１】一例としての報知画像を示す図である。
【図２２】一例としてのコンテンツ関連データを示す図である。
【図２３】一例としての予約完了画像を示す図である。
【図２４】一例としての指示データを示す図である。
【図２５】一例としてのコンテンツ関連データを示す図である。
【図２６】一例としてのコンテンツ管理画像を示す図である。
【図２７】一例としてのコンテンツ詳細画像を示す図である。
【図２８】一例としてのコンテンツ詳細画像を示す図である。
【図２９】コンテンツ再生処理Ｔ、コンテンツ再生処理Ｍおよびコンテンツ再生処理Ｓのフローチャートである。
【図３０】一例としての再生指示データを示す図である。
【図３１】コンテンツ再生処理Ｔ、コンテンツ再生処理ＭＮおよびコンテンツ再生処理Ｓのフローチャートである。
【図３２】コンテンツ再生処理ＴＡ、コンテンツ再生処理ＭＡおよびコンテンツ再生処理ＳＡのフローチャートである。
【図３３】コンテンツ再生処理ＭＲＡ、コンテンツ再生処理ＴＲＢおよびコンテンツ再生処理ＴＲＡのフローチャートである。
【図３４】一例としての再生指示データを示す図である。
【図３５】一例としての要求指示データを示す図である。
【図３６】一例としての復号データを示す図である。
【図３７】第１の実施の形態、および、第１の実施の形態の変形例１〜２における、異なる３つの制御部の機能ブロック図である。
【図３８】第１の実施の形態、および、第１の実施の形態の変形例１〜２における、他の例としての異なる２つの制御部の機能ブロック図である。
【図３９】第１の実施の形態の変形例２における、他の例としての異なる２つの制御部の機能ブロック図である。
【符号の説明】
【０４６５】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008288893.tif 000003
【図２】
2008288893.tif 000004
【図３】
2008288893.tif 000005
【図４】
2008288893.tif 000006
【図５】
2008288893.tif 000007
【図６】
2008288893.tif 000008
【図７】
2008288893.tif 000009
【図８】
2008288893.tif 000010
【図９】
2008288893.tif 000011
【図１０】
2008288893.tif 000012
【図１１】
2008288893.tif 000013
【図１２】
2008288893.tif 000014
【図１３】
2008288893.tif 000015
【図１４】
2008288893.tif 000016
【図１５】
2008288893.tif 000017
【図１６】
2008288893.tif 000018
【図１７】
2008288893.tif 000019
【図１８】
2008288893.tif 000020
【図１９】
2008288893.tif 000021
【図２０】
2008288893.tif 000022
【図２１】
2008288893.tif 000023
【図２２】
2008288893.tif 000024
【図２３】
2008288893.tif 000025
【図２４】
2008288893.tif 000026
【図２５】
2008288893.tif 000027
【図２６】
2008288893.tif 000028
【図２７】
2008288893.tif 000029
【図２８】
2008288893.tif 000030
【図２９】
2008288893.tif 000031
【図３０】
2008288893.tif 000032
【図３１】
2008288893.tif 000033
【図３２】
2008288893.tif 000034
【図３３】
2008288893.tif 000035
【図３４】
2008288893.tif 000036
【図３５】
2008288893.tif 000037
【図３６】
2008288893.tif 000038
【図３７】
2008288893.tif 000039
【図３８】
2008288893.tif 000040
【図３９】
2008288893.tif 000041